(57)【特許請求の範囲】
【請求項１】
1回で一つ或いは1回で複数のコンポーネントキャリアのチャネル状態情報（CSI）報告をフィードバックさせるよう基地局がユーザ設備に指示することを含み、
1回で１つ或いは1回で複数のコンポーネントキャリアのCSI報告をフィードバックさせるよう前記基地局がユーザ設備に指示するステップは、
前記基地局が上位層シグナリングを介して、1回で１つ或いは1回で複数のコンポーネントキャリアの非周期CSI報告をフィードバックするようにユーザ設備を配置し、又は、動的により1回で１つ或いは1回で複数のコンポーネントキャリアの非周期CSI報告をフィードバックさせるようユーザ設備に指示し、又は、上位層シグナリング配置と動的な指示を結合する方式で、1回で１つ或いは1回で複数のコンポーネントキャリアの非周期CSI報告をフィードバックさせるようユーザ設備に指示することを含み、
前記の一回で1つのコンポーネントキャリアの非周期CSI報告をフィードバックすることは、1つの非周期CSI報告トリガー命令が、1つのサブフレームの上に1つのコンポーネントキャリアの非周期CSI報告をフィードバックするようユーザ設備をトリガーすることを指し、
前記の一回で複数のコンポーネントキャリアの非周期CSI報告をフィードバックすることは、1つの非周期CSI報告トリガー命令が、1つのサブフレームの上に1つ或は複数のコンポーネントキャリアの非周期CSI報告をフィードバックするようユーザ設備をトリガーすることを指し、又は、前記の一回で複数のコンポーネントキャリアの非周期CSI報告をフィードバックすることは、複数の非周期CSI報告トリガー命令が、1つのサブフレームの上に複数のコンポーネントキャリアの非周期CSI報告をフィードバックするようユーザ設備をトリガーすることを指し、又は、前記の一回で複数のコンポーネントキャリアの非周期CSI報告をフィードバックすることは、1つの非周期CSI報告トリガー命令が、複数のサブフレームの上に所定の規則に従って順に複数のコンポーネントキャリアにおける各コンポーネントキャリアの非周期CSI報告をフィードバックするようユーザ設備をトリガーすることを指すチャネル状態情報の報告方法。
【請求項２】
前記の1回で1つ或いは1回で複数のコンポーネントキャリアのCSI報告をフィードバックさせることは、1つのサブフレームにおいて1回で1つ或いは複数のコンポーネントキャリアのCSI報告をフィードバックすることを指す請求項1に記載の方法。
【請求項３】
前記複数のコンポーネントキャリアは、時分割複信システムにおいてユーザ設備が配置した、或いはアクティブにした全部或いは一部のコンポーネントキャリアを含み、又は、周波数分割複信システムにおいてユーザ設備が配置した、或いはアクティブにした全部或いは一部のダウンリンクコンポーネントキャリアを含む請求項1に記載の方法。
【請求項４】
1回で一つのコンポーネントキャリアのCSI報告をフィードバックさせるよう前記基地局がユーザ設備に指示することは、1回で複数のコンポーネントキャリアのCSI報告をフィードバックさせることを基地局がユーザ設備をディセーブルし、即ち、ユーザ設備が1回で1つのコンポーネントキャリアのCSI報告しかフィードバックできないことを指し、
1回で複数のコンポーネントキャリアのCSI報告をフィードバックさせるよう前記基地局がユーザ設備に指示することは、1回で複数のコンポーネントキャリアのCSI報告をフィードバックさせることを基地局がユーザ設備をイネーブルし、即ち、ユーザ設備が1回で1つ或いは複数のコンポーネントキャリアのCSI報告をフィードバックすることを指す請求項1に記載の方法。
【請求項５】
前記複数のコンポーネントキャリアが1組のコンポーネントキャリアである請求項1に記載の方法。
【請求項６】
前記複数のコンポーネントキャリアは予め配置された、或いは上位層が配置した1組のコンポーネントキャリアであり、又は、ユーザ設備が配置した或いはアクティブにしたコンポーネントキャリアのうちに、所定のプリインストール関係を満たす1組のコンポーネントキャリアである請求項1に記載の方法。
【請求項７】
一回で一つ或いは一回で複数のコンポーネントキャリアのCSI報告をフィードバックさせるよう前記基地局がユーザ設備に指示するステップは、
前記基地局が上位層シグナリングを介して、1回で１つ或いは1回で複数のコンポーネントキャリアの周期CSI報告をフィードバックするようユーザ設備を配置することを含む請求項1に記載の方法。
【請求項８】
前記CSI報告は周期CSI報告であり、且つ、
前記複数のコンポーネントキャリアは前記ユーザ設備が配置した、或いはアクティブにしたコンポーネントキャリアのうちに、同じ周期CSI報告モードを設置したコンポーネントキャリアであり、又は、前記複数のコンポーネントキャリアは前記ユーザ設備が配置した、或いはアクティブにしたコンポーネントキャリアのうちに、同じダウンリンク伝送モードと同じ周期CSI報告モードを配置したコンポーネントキャリアである請求項1又は7に記載の方法。
【請求項９】
前記方法はさらに、前記ユーザ設備が1回で複数のコンポーネントキャリアの周期CSI報告をフィードバックする場合、前記周期CSI報告が1つ或いは複数の特定フォーマットの物理アップリンク制御チャネル（PUCCH）の上に伝送され、又は物理アップリンク共有チャネル（PUSCH）の上に伝送されることを含む請求項1又は7に記載の方法。
【請求項１０】
前記の上位層シグナリング配置と動的な指示を結合する方式で、ユーザ設備に一回で１つ或いは一回で複数のコンポーネントキャリアの非周期CSI報告をフィードバックさせるよう指示することは、
上位層シグナリングを介して、一回で１つのコンポーネントキャリアの非周期CSI報告をフィードバックするようユーザ設備を配置する場合、1つのトリガー命令が、1つのコンポーネントキャリアの非周期CSI報告をフィードバックするようユーザ設備をトリガーすることと、
上位層シグナリングを介して、一回で複数のコンポーネントキャリアの非周期CSI報告をフィードバックするようユーザ設備を配置する場合、基地局の動的な指示に従って、一回で1つ或いは一回で複数のコンポーネントキャリアの非周期CSI報告をフィードバックするようユーザ設備をトリガーすることと、
又は、上位層シグナリングを介して、ユーザ設備が、一回で複数のコンポーネントキャリアの非周期CSI報告をフィードバックすることをディセーブルように配置される場合、1つのトリガー命令が、1つのコンポーネントキャリアの非周期CSI報告をフィードバックするようユーザ設備をトリガーすることと、
上位層シグナリングを介して、ユーザ設備が、一回で複数のコンポーネントキャリアの非周期CSI報告をフィードバックすることをイネーブルように配置される場合、基地局の動的な指示に従って、一回で１つ或いは一回で複数のコンポーネントキャリアの非周期CSI報告をフィードバックするようユーザ設備をトリガーすることとを含む請求項1に記載の方法。
【請求項１１】
前記動的な指示は、特定のダウンリンク制御情報フォーマットを有する物理ダウンリンク制御チャネル（PDCCH）において、チャネル品質インジケータ請求（CQI request）が非周期CSI報告をトリガーすることを指示する場合、新規データ識別子（NDI）が第1プリインストール値であり、即ちIMCS = 29であり、且つスケジューリングしたPUSCHの帯域幅がNPRB ≦ 4である場合、複数のコンポーネントキャリアの非周期CSI報告をフィードバックするよう前記ユーザ設備をトリガーし、CQI requestが非周期CSI報告をトリガーすることを指示する場合、NDIが第1プリインストール値と異なる第2プリインストール値であり、即ちIMCS = 29であり、且つスケジューリングしたPUSCHの帯域幅がNPRB ≦ 4である場合、1つのコンポーネントキャリアの非周期CSI報告をフィードバックするよう前記ユーザ設備をトリガーすることを含む請求項1又は10に記載の方法。
【請求項１２】
前記動的な指示はさらに、特定のダウンリンク制御情報フォーマットを有するPDCCHにおいて、CQI requestが非周期CSI報告をトリガーすることを指示し、且つIMCS≠29又はスケジューリングしたPUSCHの帯域幅がNPRB >4である場合、1つのコンポーネントキャリアの非周期CSI報告をフィードバックするよう前記ユーザ設備をトリガーすることを含む請求項11に記載の方法。
【請求項１３】
前記動的な指示は、特定のダウンリンク制御情報フォーマットを有する物理ダウンリンク制御チャネル（PDCCH）において、チャネル品質インジケータ請求（CQI request ）が非周期CSI報告をトリガーすることを指示し、且つ新規データ識別子（NDI）及び/又はIMCS が予め設定された状態である場合、複数のコンポーネントキャリアの非周期CSI報告をフィードバックするよう前記ユーザ設備をトリガーし、CQI request が非周期CSI報告をトリガーすることを指示し、且つNDI及び/又はIMCS が予め配置された状態ではない場合、1つのコンポーネントキャリアの非周期CSI報告をフィードバックするよう前記ユーザ設備がトリガーすることを含む請求項1又は10に記載の方法。
【請求項１４】
前記動的な指示は、特定のダウンリンク制御情報フォーマットを有する物理ダウンリンク制御チャネル（PDCCH）において、チャネル品質インジケータ請求（CQI request ）が非周期CSI報告をトリガーすることを指示する場合、前記PDCCH中にさらに、1つか複数のコンポーネントキャリアの非周期CSI報告をフィードバックするよう前記ユーザ設備をトリガーすることを指示するための非周期CSI報告方式識別フィールドを含んでいることを含む請求項1又は10に記載の方法。
【請求項１５】
CQI request が非周期CSI報告をトリガーしないことを指示する場合、前記非周期CSI報告方式識別フィールドはスケジューリングしたPUSCHのアップリンクスケジューリング情報を指示することに用いられる請求項14に記載の方法。
【請求項１６】
前記非周期CSI報告方式識別フィールドは1ビットである請求項14に記載の方法。
【請求項１７】
前記動的な指示は、特定のダウンリンク制御情報フォーマットを有する物理ダウンリンク制御チャネル（PDCCH）において、チャネル品質インジケータ請求（CQI request ）が非周期CSI報告をトリガーすることを指示する場合、且つ前記PDCCHが、予め設定したコンポーネントキャリアの上にPUSCHを送信するよう前記ユーザ設備をスケジューリングする場合、複数のコンポーネントキャリアの非周期CSI報告をフィードバックするよう前記ユーザ設備をトリガーし、そうでなければ、1つのコンポーネントキャリアの非周期CSI報告をフィードバックするよう前記ユーザ設備をトリガーすることを含む請求項1又は10に記載の方法。
【請求項１８】
前記動的な指示は、クロス搬送波スケジューリングする時、特定のダウンリンク制御情報フォーマットを有する物理ダウンリンク制御チャネル（PDCCH）において、チャネル品質インジケータ請求（CQI request）が非周期CSI報告をトリガーすることを指示する場合、且つキャリアインジケータフィールド（CIF）が予め設定した値である場合、複数のコンポーネントキャリアの非周期CSI報告をフィードバックするよう前記ユーザ設備をトリガーし、そうでなければ、1つのコンポーネントキャリアの非周期CSI報告をフィードバックするよう前記ユーザ設備をトリガーすることを含む請求項1又は10に記載の方法。
【請求項１９】
前記CSI報告は非周期CSI報告であり、前記複数のコンポーネントキャリアは前記ユーザ設備が配置した、或いはアクティブにしたコンポーネントキャリアのうちに、同じ非周期CSI報告モードを配置したコンポーネントキャリアであり、又は、前記ユーザ設備が配置した、或いはアクティブにしたコンポーネントキャリアのうちに、同じダウンリンク伝送モードと同じ非周期CSI報告モードを配置したコンポーネントキャリアである請求項1に記載の方法。
【請求項２０】
一回で１つ或いは一回で複数のコンポーネントキャリアのチャネル状態情報（CSI）報告をフィードバックすることをユーザ設備に指示するように設置され、
前記基地局は、上位層シグナリングを介して、一回で１つ或いは一回で複数のコンポーネントキャリアの非周期CSI報告をフィードバックするようユーザ設備を配置し、又は、動的により、一回で１つ或いは一回で複数のコンポーネントキャリアの非周期CSI報告をフィードバックすることをユーザ設備に指示し、又は、上位層シグナリング配置と動的な指示を結合する方式で、一回で１つ或いは一回で複数のコンポーネントキャリアの非周期CSI報告をフィードバックすることをユーザ設備に指示するように設置され、
前記の一回で1つのコンポーネントキャリアの非周期CSI報告をフィードバックすることは、1つの非周期CSI報告トリガー命令が、1つのサブフレームの上に1つのコンポーネントキャリアの非周期CSI報告をフィードバックするようユーザ設備をトリガーすることを指し、
前記の一回で複数のコンポーネントキャリアの非周期CSI報告をフィードバックすることは、1つの非周期CSI報告トリガー命令が、1つのサブフレームの上に1つ或いは複数のコンポーネントキャリアの非周期CSI報告をフィードバックするようユーザ設備をトリガーすることを指し、又は、前記の一回で複数のコンポーネントキャリアの非周期CSI報告をフィードバックさせることは、複数の非周期CSI報告トリガー命令が、1つのサブフレームの上に複数のコンポーネントキャリアの非周期CSI報告をフィードバックするようユーザ設備をトリガーすることを指し、又は、前記の一回で複数のコンポーネントキャリアの非周期CSI報告をフィードバックすることは、1つの非周期CSI報告トリガー命令が、複数のサブフレームの上に所定の規則に従って順に複数のコンポーネントキャリアにおける各コンポーネントキャリアの非周期CSI報告をフィードバックするようユーザ設備をトリガーすることを指す基地局。
【請求項２１】
前記基地局は、一つのサブフレームにおいて一回で1つ或いは複数のコンポーネントキャリアのCSI報告をフィードバックすることを前記ユーザ設備に指示するように設置された請求項20に記載の基地局。
【請求項２２】
前記基地局は、ユーザ設備を1回で複数のコンポーネントキャリアのCSI報告をフィードバックするようディセーブルの方式で、一回で一つのコンポーネントキャリアのCSI報告をフィードバックさせるようユーザ設備を指示するように設置され、及び、
前記基地局は、
基地局がユーザ設備を1回で複数のコンポーネントキャリアのCSI報告をフィードバックするようイネーブルの方式で、1回で複数のコンポーネントキャリアのCSI報告をフィードバックさせるようユーザ設備を指示するように設置された請求項20に記載の基地局。
【請求項２３】
前記複数のコンポーネントキャリアが1組のコンポーネントキャリアである請求項20に記載の基地局。
【請求項２４】
前記複数のコンポーネントキャリアは予め設定された、或いは上位層が配置した1組のコンポーネントキャリアであり、又は、ユーザ設備が配置した、或いはアクティブにしたコンポーネントキャリアのうちに、所定のプリインストール関係を満たす1組のコンポーネントキャリアである請求項20に記載の基地局。
【請求項２５】
前記基地局は、上位層シグナリングを介して、一回で1つ或いは一回で複数のコンポーネントキャリアの周期CSI報告をフィードバックするようユーザ設備を配置することに用いられる請求項20に記載の基地局。
【請求項２６】
前記CSI報告は周期CSI報告であり、且つ、前記複数のコンポーネントキャリアは、前記ユーザ設備が配置した、或いはアクティブにしたコンポーネントキャリアのうちに、同じ周期CSI報告モードを配置したコンポーネントキャリアであり、或いは、前記ユーザ設備が配置した、或いはアクティブにしたコンポーネントキャリアのうちに、同じダウンリンク伝送モードと同じ周期CSI報告モードを配置したコンポーネントキャリアである請求項20又は25に記載の基地局。
【請求項２７】
前記基地局は、
上位層シグナリングを介して、一回で1つのコンポーネントキャリアの非周期CSI報告をフィードバックするようユーザ設備を配置する場合、1つのトリガー命令が、1つのコンポーネントキャリアの非周期CSI報告をフィードバックするようユーザ設備をトリガーし、
上位層シグナリングを介して、一回で複数のコンポーネントキャリアの非周期CSI報告をフィードバックするようユーザ設備を配置する場合、基地局の動的な指示に従って、一回で1つ或いは一回で複数のコンポーネントキャリアの非周期CSI報告をフィードバックするようユーザ設備をトリガーし、又は、
上位層シグナリングを介して、ユーザ設備が、一回で複数のコンポーネントキャリアの非周期CSI報告をフィードバックすることをディセーブルよう配置される場合、1つのトリガー命令が、1つのコンポーネントキャリアの非周期CSI報告をフィードバックするようユーザ設備をトリガーし、
上位層シグナリングを介して、ユーザ設備が、一回で複数のコンポーネントキャリアの非周期CSI報告をフィードバックすることをイネーブルよう配置される場合、基地局の動的な指示に従って、一回で１つ或いは一回で複数のコンポーネントキャリアの非周期CSI報告をフィードバックするようユーザ設備をトリガーするように設置された請求項20に記載の基地局。
【請求項２８】
前記基地局は、特定のダウンリンク制御情報フォーマットを有する物理ダウンリンク制御チャネル（PDCCH）において、チャネル品質インジケータ請求（CQI request）が非周期CSI報告をトリガーすることを指示する場合、新規データ識別子（NDI）が第１プリインストール値であり、即ちIMCS = 29であり、且つスケジューリングしたPUSCHの帯域幅がNPRB ≦ 4である場合、複数のコンポーネントキャリアの非周期CSI報告をフィードバックするよう前記ユーザ設備をトリガーし、CQI requestが非周期CSI報告をトリガーすることを指示する場合、NDIが第1プリインストール値と異なる第2プリインストール値であり、即ちIMCS = 29であり、且つスケジューリングしたPUSCHの帯域幅がNPRB ≦ 4である場合、1つのコンポーネントキャリアの非周期CSI報告をフィードバックするよう前記ユーザ設備をトリガーすることで、動的な指示を行うように設置された請求項20又は27に記載の基地局。
【請求項２９】
前記基地局はさらに、特定のダウンリンク制御情報フォーマットを有するPDCCHにおいて、CQI requestが非周期CSI報告をトリガーすることを指示し、且つIMCS≠29又はスケジューリングしたPUSCHの帯域幅がNPRB >4である場合、1つのコンポーネントキャリアの非周期CSI報告をフィードバックするよう前記ユーザ設備をトリガーすることで、動的な指示を行うように設置された請求項28に記載の基地局。
【請求項３０】
前記基地局は、特定のダウンリンク制御情報フォーマットを有する物理ダウンリンク制御チャネル（PDCCH）において、チャネル品質インジケータ請求（CQI request）が非周期CSI報告をトリガーすることを指示し、且つNDI及び/又はIMCS が予め配置された状態である場合、複数のコンポーネントキャリアの非周期CSI報告をフィードバックするよう前記ユーザ設備をトリガーし、CQI requestが非周期CSI報告をトリガーすることを指示する場合、且つ新規データ識別子（NDI）及び/又はIMCSが予め配置された状態ではない場合、1つのコンポーネントキャリアの非周期CSI報告をフィードバックするよう前記ユーザ設備をトリガーすることで、動的な指示を行うように設置され、又は、
前記基地局は、特定のダウンリンク制御情報フォーマットを有するPDCCHにおいて、CQI request が非周期CSI報告をトリガーすることを指示する場合、前記PDCCHの中にさらに、1つか複数のコンポーネントキャリアの非周期CSI報告をフィードバックするよう前記ユーザ設備をトリガーすることを指示するための非周期CSI報告方式識別フィールドを携帯し、CQI request が非周期CSI報告をトリガーしないことを指示する場合、前記非周期CSI報告方式識別フィールドが、スケジューリングしたPUSCHのアップリンクスケジューリング情報を指示することに用いられることで、動的な指示を行うように設置され、又は、
前記基地局は、特定のダウンリンク制御情報フォーマットを有するPDCCHにおいて、CQI request が非周期CSI報告をトリガーすることを指示する場合、且つ前記PDCCHが、予め配置されたコンポーネントキャリアの上にPUSCHを送信するよう前記ユーザ設備をスケジューリングする場合、複数のコンポーネントキャリアの非周期CSI報告をフィードバックするよう前記ユーザ設備をトリガーし、そうでなければ、1つのコンポーネントキャリアの非周期CSI報告をフィードバックするよう前記ユーザ設備をトリガーすることで、動的な指示を行うように設置され、又は、
前記基地局は、クロス搬送波スケジューリングする時、特定のダウンリンク制御情報フォーマットを有するPDCCHにおいて、CQI request が非周期CSI報告をトリガーすることを指示する場合、且つキャリアインジケータフィールド（CIF）が予め配置された値である場合、複数のコンポーネントキャリアの非周期CSI報告をフィードバックするよう前記ユーザ設備をトリガーし、そうでなければ、1つのコンポーネントキャリアの非周期CSI報告をフィードバックするよう前記ユーザ設備をトリガーすることで、動的な指示を行うように設置された請求項20又は27に記載の基地局。
【請求項３１】
特定のダウンリンク制御情報フォーマットを有するPDCCHにおいて、CQI request が非周期CSI報告をトリガーすることを指示する場合、前記PDCCH中にさらに、1つか複数のコンポーネントキャリアの非周期CSI報告をフィードバックするよう前記ユーザ設備をトリガーすることを指示するための非周期CSI報告方式識別フィールドを携帯し、前記非周期CSI報告方式識別フィールドが1ビットである請求項30に記載の基地局。
【請求項３２】
前記CSI報告は非周期CSI報告であり、前記複数のコンポーネントキャリアは、前記ユーザ設備が配置した、或いはアクティブにしたコンポーネントキャリアのうちに、同じ非周期CSI報告モードを配置したコンポーネントキャリアであり、又は、前記ユーザ設備が配置した、或いはアクティブにしたコンポーネントキャリアのうちに、同じダウンリンク伝送モードと同じ非周期CSI報告モードを配置したコンポーネントキャリアである請求項20に記載の基地局。
【発明の詳細な説明】
【技術分野】
【０００１】
本発明は無線通信分野に関し、特にチャネル状態情報の報告方法及び基地局に関する。
【背景技術】
【０００２】
第3世代パートナーシップ・プロジェクト・ロング・ターム・エボリューション（The 3rd Generation Partnership Project Long Term Evolution，3GPP LTE）システムにおいて、ユーザ設備（User Equipment，UE）がダウンリンク参照信号（reference signal）に従って、ダウンリンクチャネルのチャネル状態情報（Channel State Information，CSI）を取得する。その後、取得したCSIを基地局（eNodeB，eNB）にフィードバックする。基地局はUEがフィードバックしたCSIに従って、UEに送信するデータの変調符号化方式、物理リソース位置、及び伝送モードを確定する。LTEシステムにおいて、CSIは、チャネル品質指示子（Channels Quality Indication，CQI）、プリコーディングマトリクスインジケータ（Pre-coding Matrix Indicator，PMI）及びランクインジケータ（Rank Indicator，RI）の3つの形式を含む。
【０００３】
LTEシステムにおいて、UEのダウンリンクチャネルへのCSIフィードバックは周期フィードバックと非周期フィードバックという2つの方式を有し、それぞれ周期チャネル状態情報報告（periodic CSI reporting）と非周期チャネル状態情報報告（aperiodic CSI reporting）と呼ぶ。周期CSI報告とは、UEが基地局の配置に従って、周期的にCSIをフィードバックすることを指し、非周期CSI報告とは、基地局がトリガーシグナリングを介してUEがCSIを1回でフィードバックするようトリガーすることを指す。周期CSI報告に対して、普通は、あるサブフレーム（subframe）上に、UEが物理アップリンク共有チャネル（Physical Uplink Shared Channel，PUSCH）を送信しないと、CSIが物理アップリンク制御チャネル（Physical Uplink Control，PUCCH）上に送信され、UEがPUSCHを送信すると、CSIが PUSCH上に載せて伝送される。非周期CSI報告に対して、PUSCH上にのみ伝送される。
【０００４】
LTEシステムにおいて、基地局はアップリンクスケジューリンググラント（Uplink grant，UL grant）シグナリングを介してあるUEがPUSCHを送信するようにスケジューリングする。アップリンクスケジューリンググラントシグナリングはダウンリンク制御情報（Downlink Control Information，DCI）フォーマット0（format 0）中に載せてもよく、物理ダウンリンク制御チャネル（Physical Downlink Control Channel，PDCCH）によって、スケジューリングしたUEに送信される。DCI format 0中における1ビットはUEが非周期CSI報告を行うようにトリガーし、チャネル品質インジケータ請求（CQI request）と称する。
【０００５】
UEがそれに属するDCI format 0フォーマットを有するPDCCHを検出したと、中に含むUL grantに従ってPUSCHを送信する。UEが DCI format 0における1ビットCQI requestが 「1」に置かれると検出したと、該DCI format 0がスケジューリングしたPUSCHの中に非周期CSI報告を送信する。
【０００６】
CQI requestの以外、DCI format 0におけるアップリンクスケジューリング情報は、さらに周波数ホッピングをイネーブルすることを指示するため1 bit周波数ホッピングフラグ（hopping flag）、リソースブロック割当と周波数ホッピングリソース割当、5 bits変調符号化方式インデックス（MCS Index）IMCS、1 bit新規データ識別子（New data indicator，NDI）、2 bitsスケジューリングしたPUSCHための送信電力制御命令（TPC command for scheduled PUSCH）、3 bits復調基準信号の循環シフト（Cyclic shift for DM RS）等を有する。
【０００７】
そのうち、表1に示すように、5 bits変調符号化方式インデックスIMCSは変調符号化方式（Modulation and Coding Scheme，MCS）と重複分バージョン（Redundancy Version，RV）を連合指示することに用いられる。IMCSが連合指示した内容は、変調指数
0005592559.tif 000002
、伝送ブロックサイズインデックス（TBS Index）
0005592559.tif 000003
及び重複分バージョンrvidxを含む。
【０００８】
表1 PUSCHのMCSインデックス、対応する変調指数、伝送ブロックサイズインデックス及び重複分バージョン
0005592559.tif 000004
【０００９】
UEが変調符号化方式インデックスIMCSと対応する変調指数（Modulation Order）
0005592559.tif 000005
、伝送ブロックサイズインデックス
0005592559.tif 000006
及び関連するシグナリングと規則に従って変調指数
0005592559.tif 000007
と伝送ブロックサイズ（Transport Block Size，TBS）を確定する。
【００１０】
LTEシステムにおいて、DCI format 0においてCQI request = 1、且つIMCS = 29で、且つスケジューリングしたPUSCHの帯域幅NPRB ≦ 4であると、非周期CSI報告をトリガーするとともに、スケジューリングしたPUSCHの中にアップリンク共享チャネル（Uplink Shared Channel，UL-SCH）を載せる伝送ブロックを伝送しない。
【００１１】
また、１種類の特殊のUL grantであって、ランダムアクセス応答グラント（Random Access Response Grant，RAR grant）と呼ばれるシグナリングがPDSCHの中に載せられて対応するランダムアクセスを発起するUEに送信される。非競合ベースのランダムアクセス過程（non-contention based random access procedure）において、RAR grantに非周期CSIのフィードバックをトリガーするための1bit CQI requestを含む。ランダムアクセスを発起するUEがそれに属するRAR grantを検出したと、それに従ってPUSCHを送信し、該PUSCHが第1回スケジューリングされたアップリンク送信（First scheduled UL tranｇsmission、ランダムアクセス過程中にまた Message 3と称される。Msg.3）と称される。UEがRAR grantにおける1ビットのCQI requestが 「1」に置かれることを検出したと、Msg.3中に非周期フィードバックのCSIを送信する。競合ベースのランダムアクセス過程（contention based random access procedure）において、RAR grantにおける1bit のCQI requestが保留され、非周期CSIフィードバックをトリガーすることに用いられない。
【００１２】
CQIとPMIのフィードバックタイプ（feedback type）に従って、表2と表3に示すように、周期/非周期CSI報告はそれぞれ多種類の報告モード（reporting modes）を有する。それぞれの報告モードは所定のCSI報告内容と報告フォーマット（reporting format）に対応する。UEがどの種類の報告モードを採用するか、上位層シグナリング（higher-layer signalling）が配置したパラメータ（パラメータcqi-FormatIndicatorPeriodicとcqi-ReportModeAperiodicはそれぞれ周期/非周期CSI報告モードを指示する）により指示され、且つUEが配置したダウンリンク伝送モード（transmission modes）にかかわる。即ち、特定の伝送モードにおいて、対応するCSI報告モードしか配置できない。
【００１３】
表2 周期CSI報告モード及び対応するCQI/PMIフィードバックタイプ
0005592559.tif 000008
表3 非周期CSI報告モードと対応するCQI/PMIフィードバックタイプ
0005592559.tif 000009
【００１４】
高級ロング・ターム・エボリューション（LTE-Advanced，LTE-A）システムはLTEシステムの次の世代のエボリューションシステムであり、キャリアアグリゲーション（Carrier Aggregation，CA）技術を採用して伝送帯域幅を拡張し、更に大きなピーク値伝送速度を支持する。図1は関連する技術に基づくLTE-Aシステムキャリアアグリゲーション模式図である。図1に示すように、それぞれのアグリゲーションされた搬送波は1つの「コンポーネントキャリア」（Component Carrier，CC）と称される。複数のコンポーネントキャリアは同一周波数帯域 （frequency band）に位置してもよく、異なる周波数帯域 に位置してもよい。
【００１５】
キャリアアグリゲーションする場合、基地局がユーザ設備のため配置した（configure）或いはアクティブにした（activate）複数のコンポーネントキャリアにおいて、1つのプライマリコンポーネントキャリア（Primary Component Carrier，PCC）を有し、該ユーザ設備のプライマリセル（Primary cell，Pcell）とも称する。該ユーザ設備に配置された残りのコンポーネントキャリアがこのユーザ設備のセカンダリコンポーネントキャリア（Secondary Component Carrier，SCC）或いはセカンダリセル（Secondary cell，Scell）と称される。通常、PCCのチャネル品質が優れたと考えられる。従来の技術は、ユーザ設備がそのプライマリコンポーネントキャリアにのみPUCCH及び半永続スケジューリング（Semi-Persistently Scheduled，SPS）のPUSCHを送信し、そのセカンダリコンポーネントキャリアSCC上にPUCCH或いはSPS PUSCHを送信できないことを提案した。
【００１６】
LTE-Aシステムにおいて、基地局は同一ユーザ設備に対して複数の（ダウンリンク）コンポーネントキャリア上に信号を送信することができる。従って、基地局がユーザ設備のため複数の（ダウンリンク）コンポーネントキャリアを配置した或いはアクティブにした場合、ユーザ設備は配置した（configured）或いはアクティブにした（activated）各コンポーネントキャリアに対してCSIをフィードバックする必要がある。従来の技術は、同一ユーザ設備に対して、それぞれの（ダウンリンク）コンポーネントキャリアが独立にダウンリンク伝送モードとCSI報告モードを配置することができることを提案した。ユーザ設備が各（ダウンリンク）コンポーネントキャリアのCSI報告モードに従ってコンポーネントキャリアと対応するCSIをフィードバックすべきである。従来の技術は、さらに下記の2種のキャリアアグリゲーション場面のCSIの報告方法を提案した。
【００１７】
方法1：ユーザ設備が1つの（ダウンリンク）コンポーネントキャリアのCSI報告を1回でフィードバックすること。
【００１８】
方法2：ユーザ設備が複数の（ダウンリンク）コンポーネントキャリアのCSI報告を1回でフィードバックすること。
【００１９】
複数の（ダウンリンク）コンポーネントキャリアのCSI報告を1回でフィードバックすることは、フィードバック遅延を減少させ、さらにダウンリンク性能を向上させることができ、非周期CSIフィードバックに対して、さらにトリガーシグナリングオーバーヘッドを節約することができ、ところが、同時に複数の（ダウンリンク）コンポーネントキャリアにCSIをフィードバックすることは、フィードバックオーバーヘッドを大きくさせ、ある場合で冗長のCSI報告をもたらす可能性があり、さらにCSI報告及びアップリンク数据伝送の確実性を影響する可能性もある。従って、キャリアアグリゲーション場面で、ユーザ設備がいかに複数の（ダウンリンク）コンポーネントキャリアに対してチャネル状態情報報告を行って、チャネル状態情報伝送の確実性を保証するとともに、できるだけチャネル状態情報のフィードバック遅延を減少するか、1つの解決すべき問題になった。
【００２０】
また、従来の技術は， LTE-Aシステム中にクロス搬送波スケジューリング（cross-carrier scheduling）を支持し、即ち、1つのコンポーネントキャリア上にほかのコンポーネントキャリアのスケジューリング情報を送信し、前記スケジューリング情報が特定のダウンリンク制御情報フォーマット（DCI Format）を有するPDCCH中に載せられ、スケジューリングしたユーザ設備に送信され、且つスケジューリングしたコンポーネントキャリアを標識するため、DCI Format中にキャリアインジケータフィールド（Carrier Indicator Field，CIF）を導入することを提案した。現在、LTE-Aシステムは、多くても5個のコンポーネントキャリアをアグリゲーションし、CIFが3bitsである。クロス搬送波スケジューリングするかどうか、及びDCI Format中にCIFを含むかどうか、上位層シグナリングにより配置される。
【発明の概要】
【発明が解決しようとする課題】
【００２１】
本発明が解決しようとする技術問題は、チャネル状態情報の報告方法を提供し、チャネル状態情報伝送の確実性を保証するとともに、できるだけチャネル状態情報のフィードバック遅延を減小させることである。
【課題を解決するための手段】
【００２２】
上記問題を解決するため、本発明はチャネル状態情報の報告方法を提供し、該方法は、
基地局がユーザ設備に一回で一つ或いは1回で複数のコンポーネントキャリアのチャネル状態情報（CSI）報告をフィードバックさせるよう指示することを含む。
【００２３】
前記の1回で1つ或いは1回で複数のコンポーネントキャリアのCSI報告をフィードバックさせることは、1つのサブフレームの上に1回で1つ或いは複数のコンポーネントキャリアのCSI報告をフィードバックすることを指す。
【００２４】
前記複数のコンポーネントキャリアは、時分割複信システムにおいてユーザ設備が配置した、或いはアクティブにした全部或いは一部のコンポーネントキャリアを含み、又は、周波数分割複信システムにおいてユーザ設備が配置した、或いはアクティブにした全部或いは一部のダウンリンクコンポーネントキャリアを含む。
【００２５】
前記基地局がユーザ設備に一回で一つのコンポーネントキャリアのCSI報告をフィードバックさせるよう指示することは、基地局がユーザ設備に1回で複数のコンポーネントキャリアのCSI報告をフィードバックさせることをディセーブルし、即ち、ユーザ設備が1回で1つのコンポーネントキャリアのCSI報告しかをフィードバックできないことを指し、
前記基地局がユーザ設備に1回で複数のコンポーネントキャリアのCSI報告をフィードバックさせるよう指示することは、基地局がユーザ設備に1回で複数のコンポーネントキャリアのCSI報告をフィードバックさせることをイネーブルし、即ち、ユーザ設備が1回で1つ或いは複数のコンポーネントキャリアのCSI報告をフィードバックできることを指す。
【００２６】
前記複数のコンポーネントキャリアが1組のコンポーネントキャリアである。
【００２７】
前記複数のコンポーネントキャリアは予め配置された、或いは上位層が配置した1組のコンポーネントキャリアであり、又は、ユーザ設備が配置した、或いはアクティブにしたコンポーネントキャリアのうちに、所定のプリインストール関係を満たす1組のコンポーネントキャリアである。
【００２８】
前記基地局がユーザ設備に一回で一つ或いは1回で複数のコンポーネントキャリアのCSI報告をフィードバックさせるよう指示するステップは、
前記基地局が上位層シグナリングを介して、ユーザ設備が1回で１つ或いは1回で複数のコンポーネントキャリアの周期CSI報告をフィードバックするよう配置することを含む。
【００２９】
前記CSI報告は周期CSI報告であり、且つ、
前記複数のコンポーネントキャリアは前記ユーザ設備が配置した、或いはアクティブにしたコンポーネントキャリアのうちに、同じ周期CSI報告モードを配置したコンポーネントキャリアであり、又は、前記複数のコンポーネントキャリアは前記ユーザ設備が配置した、或いはアクティブにしたコンポーネントキャリアのうちに、同じダウンリンク伝送モードと同じ周期CSI報告モードを配置したコンポーネントキャリアである。
【００３０】
前記方法はさらに、前記ユーザ設備が1回で複数のコンポーネントキャリアの周期CSI報告をフィードバックする場合、前記周期CSI報告が1つ或いは複数の特定フォーマットの物理アップリンク制御チャネル（PUCCH）の上に伝送され、又は物理アップリンク共有チャネル（PUSCH）の上に伝送されることを含む。
【００３１】
前記基地局がユーザ設備に1回で１つ或いは1回で複数のコンポーネントキャリアのCSI報告をフィードバックさせるよう指示するステップは、
前記基地局が上位層シグナリングを介して、ユーザ設備が1回で１つ或いは1回で複数のコンポーネントキャリアの非周期CSI報告をフィードバックするように設置し、又は、動的によりユーザ設備に1回で１つ或いは1回で複数のコンポーネントキャリアの非周期CSI報告をフィードバックさせるよう指示し、又は、上位層シグナリング配置と動的な指示を結合する方式でユーザ設備に1回で１つ或いは1回で複数のコンポーネントキャリアの非周期CSI報告をフィードバックさせるよう指示することを含む。
【００３２】
前記の1回で1つのコンポーネントキャリアの非周期CSI報告をフィードバックすることは、1つの非周期CSI報告トリガー命令がユーザ設備が1つのサブフレームの上に1つのコンポーネントキャリアの非周期CSI報告をフィードバックするようトリガーすることを指し、
前記の1回で複数のコンポーネントキャリアの非周期CSI報告をフィードバックすることは、1つの非周期CSI報告トリガー命令がユーザ設備が1つのサブフレームの上に1つ或は複数のコンポーネントキャリアの非周期CSI報告をフィードバックするようトリガーすることを指し、又は、前記の1回で複数のコンポーネントキャリアの非周期CSI報告をフィードバックすることは、複数の非周期CSI報告トリガー命令がユーザ設備が1つのサブフレームの上に複数のコンポーネントキャリアの非周期CSI報告をフィードバックするようトリガーすることを指し、又は、前記の1回で複数のコンポーネントキャリアの非周期CSI報告をフィードバックすることは、1つの非周期CSI報告トリガー命令がユーザ設備が複数のサブフレームの上に所定の規則に従って順に複数のコンポーネントキャリアにおける各コンポーネントキャリアの非周期CSI報告をフィードバックするようトリガーすることを指す。
【００３３】
前記の上位層シグナリング配置と動的な指示を結合する方式で、ユーザ設備に1回で１つ或いは1回で複数のコンポーネントキャリアの非周期CSI報告をフィードバックさせるよう指示することは、
上位層シグナリングを介して、ユーザ設備が1回で１つのコンポーネントキャリアの非周期CSI報告をフィードバックするよう配置する場合、1つのトリガー命令はユーザ設備が1つのコンポーネントキャリアの非周期CSI報告をフィードバックするようトリガーすることと、
上位層シグナリングを介して、ユーザ設備が1回で複数のコンポーネントキャリアの非周期CSI報告をフィードバックするよう配置する場合、基地局の動的な指示に従って、ユーザ設備が1回で1つ或いは1回で複数のコンポーネントキャリアの非周期CSI報告をフィードバックするようトリガーすることと、
又は、上位層シグナリングを介して、ユーザ設備が一回で複数のコンポーネントキャリアの非周期CSI報告をフィードバックするよう配置することをディセーブルする場合、1つのトリガー命令はユーザ設備1つのコンポーネントキャリアの非周期CSI報告をフィードバックするようトリガーすることと、
上位層シグナリングを介して、ユーザ設備が一回で複数のコンポーネントキャリアの非周期CSI報告をフィードバックするよう配置することをイネーブルする場合、基地局の動的な指示に従ってユーザ設備が一回で１つ或いは一回で複数のコンポーネントキャリアの非周期CSI報告をフィードバックするようトリガーすることとを含む。
【００３４】
前記動的な指示は、特定のダウンリンク制御情報フォーマットを有する物理ダウンリンク制御チャネル（PDCCH）において、チャネル品質インジケータ請求（CQI request）が非周期CSI報告をトリガーすることを指示する場合、新規データ識別子（NDI）が第1プリインストール値であり、即ちIMCS = 29であり、且つスケジューリングしたPUSCHの帯域幅がNPRB ≦ 4である場合、前記ユーザ設備が複数のコンポーネントキャリアの非周期CSI報告をフィードバックするようトリガーし、CQI requestが非周期CSI報告をトリガーすることを指示する場合、NDIが第1プリインストール値と異なる第2プリインストール値であり、即ちIMCS = 29であり、且つスケジューリングしたPUSCHの帯域幅がNPRB ≦ 4である場合、前記ユーザ設備が1つのコンポーネントキャリアの非周期CSI報告をフィードバックするようトリガーすることを含む。
【００３５】
前記動的な指示はさらに、特定のダウンリンク制御情報フォーマットを有するPDCCHにおいて、CQI requestが非周期CSI報告をトリガーすることを指示し、且つIMCS≠29又はスケジューリングしたPUSCHの帯域幅がNPRB >4である場合、前記ユーザ設備が1つのコンポーネントキャリアの非周期CSI報告をフィードバックするようトリガーすることを含む。
【００３６】
前記動的な指示は、特定のダウンリンク制御情報フォーマットを有する物理ダウンリンク制御チャネル（PDCCH）において、チャネル品質インジケータ請求（CQI request ）が非周期CSI報告をトリガーすることを指示し、且つ新規データ識別子（NDI）及び/又はIMCS が予め配置された状態である場合、前記ユーザ設備が複数のコンポーネントキャリアの非周期CSI報告をフィードバックするようトリガーし、CQI request が非周期CSI報告をトリガーすることを指示し、且つNDI及び/又はIMCS が予め配置された状態ではない場合、前記ユーザ設備が1つのコンポーネントキャリアの非周期CSI報告をフィードバックするようトリガーすることを含む。
【００３７】
前記動的な指示は、特定のダウンリンク制御情報フォーマットを有する物理ダウンリンク制御チャネル（PDCCH）において、チャネル品質インジケータ請求（CQI request ）が非周期CSI報告をトリガーすることを指示する場合、前記PDCCH中にさらに、前記ユーザ設備が1つか複数のコンポーネントキャリアの非周期CSI報告をフィードバックするようトリガーすることを指示するための非周期CSI報告方式識別フィールドを携帯していることを含む。
【００３８】
CQI request が非周期CSI報告をトリガーしないことを指示する場合、前記非周期CSI報告方式識別フィールドはスケジューリングしたPUSCHのアップリンクスケジューリング情報を指示することに用いられる。
【００３９】
前記非周期CSI報告方式識別フィールドは1ビットである。
【００４０】
前記動的な指示は、特定のダウンリンク制御情報フォーマットを有する物理ダウンリンク制御チャネル（PDCCH）において、チャネル品質インジケータ請求（CQI request ）が非周期CSI報告をトリガーすることを指示する場合、且つ前記PDCCHは前記ユーザ設備が予め配置したコンポーネントキャリアの上にPUSCHを送信するようスケジューリングする場合、前記ユーザ設備が複数のコンポーネントキャリアの非周期CSI報告をフィードバックするようトリガーし、そうでなければ、前記ユーザ設備が1つのコンポーネントキャリアの非周期CSI報告をフィードバックするようトリガーすることを含む。
【００４１】
前記動的な指示は、クロス搬送波スケジューリングする時、特定のダウンリンク制御情報フォーマットを有する物理ダウンリンク制御チャネル（PDCCH）において、チャネル品質インジケータ請求（CQI request）が非周期CSI報告をトリガーすることを指示する場合、且つキャリアインジケータフィールド（CIF）が予め配置した値である場合、前記ユーザ設備が複数のコンポーネントキャリアの非周期CSI報告をフィードバックするようトリガーし、そうでなければ、前記ユーザ設備が1つのコンポーネントキャリアの非周期CSI報告をフィードバックするようトリガーすることを含む。
【００４２】
前記CSI報告は非周期CSI報告であり、前記複数のコンポーネントキャリアは前記ユーザ設備が配置した、或いはアクティブにしたコンポーネントキャリアのうちに、同じ非周期CSI報告モードを配置したコンポーネントキャリアであり、又は、前記ユーザ設備が配置した、或いはアクティブにしたコンポーネントキャリアのうちに、同じダウンリンク伝送モードと同じ非周期CSI報告モードを配置したコンポーネントキャリアである。
【００４３】
上記の問題を解決するため、本発明はさらに基地局を提供し、
ユーザ設備に一回で１つ或いは一回で複数のコンポーネントキャリアのチャネル状態情報（CSI）報告をフィードバックさせるように設置された。
【００４４】
前記基地局は、前記ユーザ設備に一回で一つのサブフレームの上に一回で1つ或いは複数のコンポーネントキャリアのCSI報告をフィードバックさせるように設置された。
【００４５】
前記基地局は、ユーザ設備が一回で複数のコンポーネントキャリアのCSI報告をフィードバックすることをディセーブルすることで、ユーザ設備に一回で一つのコンポーネントキャリアのCSI報告をフィードバックさせるよう指示することが設置され、及び、
前記基地局は、基地局がユーザ設備が一回で複数のコンポーネントキャリアのCSI報告をフィードバックすることをイネーブルすることで、ユーザ設備に一回で複数のコンポーネントキャリアのCSI報告をフィードバックさせるよう指示することが設置された。
【００４６】
前記複数のコンポーネントキャリアが1組のコンポーネントキャリアである。
【００４７】
前記複数のコンポーネントキャリアは予め配置された、或いは上位層が配置した1組のコンポーネントキャリアであり、又は、ユーザ設備が配置した、或いはアクティブにしたコンポーネントキャリアのうちに、所定のプリインストール関係を満たす1組のコンポーネントキャリアである。
【００４８】
前記基地局は、上位層シグナリングを介して、ユーザ設備が一回で1つ或いは一回で複数のコンポーネントキャリアの周期CSI報告をフィードバックするよう配置することに用いられる。
【００４９】
前記CSI報告は周期CSI報告であり、且つ、前記複数のコンポーネントキャリアは、前記ユーザ設備が配置した、或いはアクティブにしたコンポーネントキャリアのうちに、同じ周期CSI報告モードを配置したコンポーネントキャリアであり、或いは、前記ユーザ設備が配置した、或いはアクティブにしたコンポーネントキャリアのうちに、同じダウンリンク伝送モードと同じ周期CSI報告モードを配置したコンポーネントキャリアである。
【００５０】
前記基地局は、上位層シグナリングを介して、ユーザ設備が一回で１つ或いは一回で複数のコンポーネントキャリアの非周期CSI報告をフィードバックし、又は、動的により、ユーザ設備に一回で１つ或いは一回で複数のコンポーネントキャリアの非周期CSI報告をフィードバックさせるよう指示し、又は、上位層シグナリング配置と動的な指示を結合する方式で、ユーザ設備に一回で１つ或いは一回で複数のコンポーネントキャリアの非周期CSI報告をフィードバックさせるよう指示することが設置された。
【００５１】
前記の一回で1つのコンポーネントキャリアの非周期CSI報告をフィードバックすることは、1つの非周期CSI報告トリガー命令がユーザ設備が1つのサブフレームの上に1つのコンポーネントキャリアの非周期CSI報告をフィードバックするようトリガーすることを指し、
前記の一回で複数のコンポーネントキャリアの非周期CSI報告をフィードバックすることは、1つの非周期CSI報告トリガー命令がユーザ設備が1つのサブフレームの上に1つ或いは複数のコンポーネントキャリアの非周期CSI報告をフィードバックするようトリガーすることを指し、又は、前記の一回で複数のコンポーネントキャリアの非周期CSI報告をフィードバックさせることは、複数の非周期CSI報告トリガー命令がユーザ設備が1つのサブフレームの上に複数のコンポーネントキャリアの非周期CSI報告をフィードバックするようトリガーすることを指し、又は、前記の一回で複数のコンポーネントキャリアの非周期CSI報告をフィードバックすることは、1つの非周期CSI報告トリガー命令がユーザ設備が複数のサブフレームの上に所定の規則に従って順に複数のコンポーネントキャリアにおける各コンポーネントキャリアの非周期CSI報告をフィードバックするようトリガーすることを指す。
【００５２】
前記基地局は、
上位層シグナリングを介して、ユーザ設備が一回で1つのコンポーネントキャリアの非周期CSI報告をフィードバックするよう配置する場合、1つのトリガー命令がユーザ設備が1つのコンポーネントキャリアの非周期CSI報告をフィードバックするようトリガーし、
上位層シグナリングを介して、ユーザ設備が一回で複数のコンポーネントキャリアの非周期CSI報告をフィードバックするよう配置する場合、基地局の動的な指示に従って、ユーザ設備が一回で1つ或いは一回で複数のコンポーネントキャリアの非周期CSI報告をフィードバックするようトリガーし、又は、
上位層シグナリングを介して、ユーザ設備が一回で複数のコンポーネントキャリアの非周期CSI報告をフィードバックするよう配置することをディセーブルする場合、1つのトリガー命令がユーザ設備が1つのコンポーネントキャリアの非周期CSI報告をフィードバックするようトリガーし、
上位層シグナリングを介して、ユーザ設備が一回で複数のコンポーネントキャリアの非周期CSI報告を1回でフィードバックするよう配置することをイネーブルする場合、基地局の動的な指示に従ってユーザ設備が一回で１つ或いは一回で複数のコンポーネントキャリアの非周期CSI報告をフィードバックするようトリガーするように設置された。
【００５３】
前記基地局は、特定のダウンリンク制御情報フォーマットを有する物理ダウンリンク制御チャネル（PDCCH）において、チャネル品質インジケータ請求（CQI request）が非周期CSI報告をトリガーすることを指示する場合、新規データ識別子（NDI）が第１プリインストール値であり、即ちIMCS = 29であり、且つスケジューリングしたPUSCHの帯域幅がNPRB ≦ 4である場合、前記ユーザ設備が複数のコンポーネントキャリアの非周期CSI報告をフィードバックするようトリガーし、CQI requestが非周期CSI報告をトリガーすることを指示する場合、NDIが第1プリインストール値と異なる第2プリインストール値であり、即ちIMCS = 29であり、且つスケジューリングしたPUSCHの帯域幅がNPRB ≦ 4である場合、前記ユーザ設備が1つのコンポーネントキャリアの非周期CSI報告をフィードバックするようトリガーすることで、動的な指示を行うように設置された。
【００５４】
前記基地局は、さらに特定のダウンリンク制御情報フォーマットを有するPDCCHにおいて、CQI requestが非周期CSI報告をトリガーすることを指示し、且つIMCS≠29又はスケジューリングしたPUSCHの帯域幅がNPRB >4である場合、前記ユーザ設備が1つのコンポーネントキャリアの非周期CSI報告をフィードバックするようトリガーすることで、動的な指示を行うように設置された。
【００５５】
前記基地局は、特定のダウンリンク制御情報フォーマットを有する物理ダウンリンク制御チャネル（PDCCH）において、チャネル品質インジケータ請求（CQI request）が非周期CSI報告をトリガーすることを指示し、且つNDI及び/又はIMCS が予め配置された状態である場合、前記ユーザ設備が複数のコンポーネントキャリアの非周期CSI報告をフィードバックするようトリガーし、CQI requestが 非周期CSI報告をトリガーすることを指示し、且つ新規データ識別子（NDI）及び/又はIMCSが予め配置された状態ではない場合、前記ユーザ設備が1つのコンポーネントキャリアの非周期CSI報告をフィードバックするようトリガーすることで、動的な指示を行うように設置され、又は、
前記基地局は、特定のダウンリンク制御情報フォーマットを有するPDCCHにおいて、CQI request が非周期CSI報告をトリガーすることを指示する場合、前記PDCCHの中にさらに、前記ユーザ設備が1つか複数のコンポーネントキャリアの非周期CSI報告をフィードバックするようトリガーすることを指示するための非周期CSI報告方式識別フィールドを携帯し、CQI request が非周期CSI報告をトリガーしないことを指示する場合、前記非周期CSI報告方式識別フィールドがスケジューリングしたPUSCHのアップリンクスケジューリング情報を指示することに用いられることで、動的な指示を行うように設置され、又は、
前記基地局は、特定のダウンリンク制御情報フォーマットを有するPDCCHにおいて、CQI request が非周期CSI報告をトリガーすることを指示する場合、且つ前記PDCCHは前記ユーザ設備が予め配置されたコンポーネントキャリアの上にPUSCHを送信するようにスケジューリングする場合、前記ユーザ設備が複数のコンポーネントキャリアの非周期CSI報告をフィードバックするようトリガーし、そうでなければ、前記ユーザ設備が1つのコンポーネントキャリアの非周期CSI報告をフィードバックするようトリガーすることで、動的な指示を行うように設置され、又は、
前記基地局は、クロス搬送波スケジューリングする時、特定のダウンリンク制御情報フォーマットを有するPDCCHにおいて、CQI request が非周期CSI報告をトリガーすることを指示する場合、且つキャリアインジケータフィールド（CIF）が予め配置された値である場合、前記ユーザ設備が複数のコンポーネントキャリアの非周期CSI報告をフィードバックするようトリガーし、そうでなければ、前記ユーザ設備が1つのコンポーネントキャリアの非周期CSI報告をフィードバックするようトリガーすることで、動的な指示を行うように設置された。
【００５６】
特定のダウンリンク制御情報フォーマットを有するPDCCHにおいて、CQI request が非周期CSI報告をトリガーすることを指示する場合、前記PDCCH中にさらに、前記ユーザ設備が1つか複数のコンポーネントキャリアの非周期CSI報告をフィードバックするようトリガーすることを指示するための非周期CSI報告方式識別フィールドを携帯し、前記非周期CSI報告方式識別フィールドが1ビットである。
【００５７】
前記CSI報告は非周期CSI報告であり、前記複数のコンポーネントキャリアは、前記ユーザ設備が配置した、或いはアクティブにしたコンポーネントキャリアのうちに、同じ非周期CSI報告モードを配置したコンポーネントキャリアであり、又は、前記ユーザ設備が配置した、或いはアクティブにしたコンポーネントキャリアのうちに、同じダウンリンク伝送モードと同じ非周期CSI報告モードを配置したコンポーネントキャリアである。
【発明の効果】
【００５８】
本発明の方法を採用して効果的にLTE-Aシステムの中のユーザ設備がいかに複数の（ダウンリンク）コンポーネントキャリアに対してチャネル状態情報報告を行うという問題を解決し、チャネル状態情報伝送の確実性を保証するとともに、できるだけチャネル状態情報のフィードバック遅延を減少させる。
【図面の簡単な説明】
【００５９】
【図１】図１はLTE-Aシステムキャリアアグリゲーションの模式図である。
【図２】図２は本発明の状態情報の報告方法の模式図である。
【発明を実施するための形態】
【００６０】
以下、図面を参照して本発明の実施例を詳しく説明する。ただし、衝突しない場合、本出願中の実施例及び実施例中の特徴を任意に組み合わせることができる。
【００６１】
本発明はチャネル状態情報の報告方法を提供し、図2に示すように、該方法は、基地局がユーザ設備に一回で一つ或いは一回で複数のコンポーネントキャリアのCSI報告をフィードバックさせるよう指示することを含む。ユーザ設備が基地局の指示に従って一回で1つ或いは一回で複数のコンポーネントキャリアのCSI報告をフィードバックする。
【００６２】
前記コンポーネントキャリアは周波数分割複信（Frequency Division Duplex，FDD）システムにおけるダウンリンクコンポーネントキャリア（Downlink Component Carrier，DL CC）或いは時分割複信（Time Division Duplex，TDD）システムにおけるコンポーネントキャリアを指す。
【００６３】
好ましくは、前記の一回で1つ或いは一回で複数のコンポーネントキャリアのCSI報告をフィードバックさせることは、1つのサブフレームの上に1つ或いは複数のコンポーネントキャリアのCSI報告をフィードバックすることを指す。
【００６４】
好ましくは、前記基地局がユーザ設備に一回で一つのコンポーネントキャリアのCSI報告をフィードバックさせることは、基地局がユーザ設備が一回で複数のコンポーネントキャリアのCSI報告をフィードバックすることをディセーブルし、即ちユーザ設備が1回で1つのコンポーネントキャリアのCSI報告しかをフィードバックできないことを指し、
前記基地局がユーザ設備に一回で複数のコンポーネントキャリアのCSI報告をフィードバックさせることは、基地局がユーザ設備に一回で複数のコンポーネントキャリアのCSI報告をフィードバックさせることをイネーブルし、即ち、ユーザ設備が一回で1つ或いは複数のコンポーネントキャリアのCSI報告をフィードバックできることを指す。
【００６５】
前記複数のコンポーネントキャリアが1組のコンポーネントキャリアである。
【００６６】
好ましくは、前記複数のコンポーネントキャリアは前記ユーザ設備が配置した或いはアクティブにした全部コンポーネントキャリア（TDDシステムに対する）、又は前記ユーザ設備が配置した或いはアクティブにした全部ダウンリンクコンポーネントキャリア（FDDシステムに対する）を指す。
【００６７】
好ましくは、前記複数のコンポーネントキャリアは前記ユーザ設備が配置した或いはアクティブにした一部のコンポーネントキャリア（TDDシステムに対する）、又は前記ユーザ設備が配置した或いはアクティブにした一部のダウンリンクコンポーネントキャリア（FDDシステムに対する）を指す。
【００６８】
好ましくは、前記複数のコンポーネントキャリアは予め配置された、或いは上位層が配置したのものである。
【００６９】
好ましくは、前記複数のコンポーネントキャリアは前記ユーザ設備が配置した或いはアクティブにしたコンポーネントキャリアのうちに所定のプリインストール関係を満たすコンポーネントキャリアである。
【００７０】
例えば、複数のコンポーネントキャリアは前記ユーザ設備が配置した或いはアクティブにしたコンポーネントキャリアにおいてコンポーネントキャリアインデックス（Component Carrier index，CC index）をmod2すると余りが同じ（即ち、2に対しモジュロした後余りが同じであること）コンポーネントキャリアである。
【００７１】
また、例えば、FDDシステムにおいて、複数のコンポーネントキャリアは前記ユーザ設備が配置した或いはアクティブにしたダウンリンクコンポーネントキャリアにおいて同一のアップリンクコンポーネントキャリアと対応するダウンリンクコンポーネントキャリアである。
【００７２】
また、例えば、FDDシステムにおいて、1つのユーザ設備に対して、対応するアップリンクコンポーネントキャリアが前記ユーザ設備に対して配置していない或いはアクティブにしていないようなダウンリンクセカンダリコンポーネントキャリアDL SCCが存在すると、ずべてのこのようなダウンリンクセカンダリコンポーネントキャリアと前記ユーザ設備のダウンリンクプライマリコンポーネントキャリアが1組のコンポーネントキャリアにバインディングされる。
【００７３】
例えば、前記1組のコンポーネントキャリアは、前記ユーザ設備が配置した或いはアクティブにしたコンポーネントキャリアのうちに、同じダウンリンク伝送モードを配置したコンポーネントキャリアを指す。
【００７４】
特に、あるダウンリンク伝送モードの前記ユーザ設備に1つのコンポーネントキャリアしかを配置しない或いはアクティブにしないと、前記1組のコンポーネントキャリアが即ち前記1つのコンポーネントキャリアしか含まれない。
【００７５】
例えば、前記1組のコンポーネントキャリアは前記ユーザ設備が配置した或いはアクティブにしたコンポーネントキャリアにおいて同一周波数帯域に位置するコンポーネントキャリアを指す。
【００７６】
特に、ある周波数帯域上に前記ユーザ設備が1つのコンポーネントキャリアしかを配置しない或いはアクティブにしないと、前記1組のコンポーネントキャリアが即ち前記1つのコンポーネントキャリアがしか含まれない。
【００７７】
（一）周期CSI報告
好ましくは、前記複数のコンポーネントキャリアは前記ユーザ設備が配置した或いはアクティブにしたコンポーネントキャリアのうちに、同じ周期CSI報告モードを配置したコンポーネントキャリアを指す。
【００７８】
好ましくは、前記複数のコンポーネントキャリアは前記ユーザ設備が配置した或いはアクティブにしたコンポーネントキャリアのうちに、同じダウンリンク伝送モードと同じ周期CSI報告モードを配置したコンポーネントキャリアを指す。
【００７９】
基地局が前記ユーザ設備に1回で複数のコンポーネントキャリアの周期CSI報告をフィードバックさせるよう指示し、且つ前記ユーザ設備が配置した、或いはアクティブにしたコンポーネントキャリアが複数の組に分けられると、前記ユーザ設備が所定の規則に従って順に各組コンポーネントキャリアの周期CSI報告をフィードバックする。
【００８０】
前記ユーザ設備が周期CSI報告をフィードバックする場合、各コンポーネントキャリアに配置された周期CSI報告モードに従って対応するコンポーネントキャリアの周期CSI報告をフィードバックする。
【００８１】
基地局は上位層シグナリングを介して、ユーザ設備が1回で1つ或いは1回で複数のコンポーネントキャリアの周期CSI報告をフィードバックするよう配置する。
【００８２】
実施例一
2種の周期CSI報告方式を定義する。
【００８３】
方式1：1回で 1つのコンポーネントキャリアの周期CSI報告をフィードバックすること。
【００８４】
方式2：1回で複数のコンポーネントキャリアの周期CSI報告をフィードバックすること。
【００８５】
基地局は上位層シグナリングを介して、あるユーザ設備の周期CSI報方式が方式1或いは方式2であるように配置する。方式2に配置される場合、前記ユーザ設備は1回で配置した或いはアクティブにした全部（ダウンリンク）コンポーネントキャリアの周期CSI報告をフィードバックする。
【００８６】
実施例二
基地局は上位層シグナリングを介して、あるユーザ設備が1回で複数のコンポーネントキャリアの周期CSI報告をフィードバックすることをイネーブルする。
【００８７】
あるユーザ設備に対して、1回で複数のコンポーネントキャリアの周期CSI報告をフィードバックすることをディセーブルすると、該ユーザ設備は1回で配置した或いはアクティブにした1つの（ダウンリンク）コンポーネントキャリアの周期CSI報告をフィードバックし、該ユーザ設備に対して、1回で複数のコンポーネントキャリアの周期CSI報告をフィードバックすることをイネーブルすると、該ユーザ設備は1回で配置した或いはアクティブにした全部（ダウンリンク）コンポーネントキャリアの周期CSI報告をフィードバックする。
【００８８】
前記ユーザ設備が1回で複数のコンポーネントキャリアの周期CSI報告をフィードバックする場合、前記周期CSI報告は1つの特定のフォーマットのPUCCH上に伝送され、又は複数のPUCCH上に伝送され、又は在PUSCH上に伝送される。
【００８９】
前記特定フォーマットのPUCCHは、大情報量のアップリンク制御情報を載せるためのPUCCHを指す。
【００９０】
ユーザ設備が1回で複数のコンポーネントキャリアの周期CSI報告をフィードバックする場合、基地局は、前記ユーザ設備がアクティブにした1つの半永続スケジューリングのPUSCHであり、前記周期CSI報告を載せることに用いられる。
【００９１】
前記半永続スケジューリングのPUSCHは前記ユーザ設備のプライマリコンポーネントキャリアPCCの上に伝送される。
【００９２】
半永続スケジューリングのPUSCHの伝送期間に、基地局は前記ユーザ設備がそのプライマリコンポーネントキャリアPCCの上にPUSCHを送信するように動的にスケジューリングすると、動的にスケジューリングしたPUSCHは半永続スケジューリングのPUSCHより優先され、即ち、前記ユーザ設備は動的にスケジューリングしたPUSCHを送信し、半永続スケジューリングPUSCHを送信しない。
【００９３】
（二）非周期CSI報告
前記の1回で1つのコンポーネントキャリアの非周期CSI報告をフィードバックすることは、1つの非周期CSI報告トリガー命令がユーザ設備が1つのサブフレーム上に1つのコンポーネントキャリアの非周期CSI報告をフィードバックするようトリガーすることを指す。
【００９４】
前記の1回で複数のコンポーネントキャリアの非周期CSI報告をフィードバックすることは、1つの非周期CSI報告トリガー命令がユーザ設備が1つのサブフレーム上に1つ或いは複数のコンポーネントキャリアの非周期CSI報告をフィードバックするようトリガーすることを指し、又は、
前記の1回で複数のコンポーネントキャリアの非周期CSI報告をフィードバックすることは、複数の非周期CSI報告トリガー命令がユーザ設備が1つのサブフレーム上に複数のコンポーネントキャリアの非周期CSI報告をフィードバックするようトリガーすることを指す。
【００９５】
又は、
前記の1回で複数のコンポーネントキャリアの非周期CSI報告をフィードバックすることは、1つの非周期CSI報告トリガー命令がユーザ設備が複数のサブフレーム上に所定の規則に従って順に複数のコンポーネントキャリア中のそれぞれのコンポーネントキャリアの非周期CSI報告をフィードバックするようトリガーすることを指す。
【００９６】
基地局はトリガー命令を介してユーザ設備が非周期CSI報告をフィードバックするようトリガーする。
【００９７】
前記トリガー命令はチャネル品質インジケータ請求（CQI request）であり、CQI request=1である場合、非周期CSI報告をトリガーする。
【００９８】
前記CQI requestはランダムアクセス応答を介して対応するランダムアクセスを発起するユーザ設備に送信されることができ、特定のダウンリンク制御情報フォーマット（DCI format）を有するPDCCHを介して、スケジューリングしたユーザ設備に送信されることもできる。前記特定のダウンリンク制御情報フォーマットを有するPDCCHはPUSCHをスケジューリングすることに用いられる。
【００９９】
好ましくは、トリガーされた非周期CSI報告はトリガー命令を載せるPDCCHがスケジューリングしたPUSCHの中に伝送される。
【０１００】
好ましくは、前記のユーザ設備が複数のコンポーネントキャリアの非周期CSI報告をフィードバックするようトリガーするPDCCHがスケジューリングしたPUSCHはUL-SCHを載せる伝送ブロックを伝送しない。
【０１０１】
好ましくは、前記複数のコンポーネントキャリアは、前記ユーザ設備が配置した或いはアクティブにしたコンポーネントキャリアのうちに、同じ非周期CSI報告モードを配置したコンポーネントキャリアを指す。
【０１０２】
好ましくは、前記複数のコンポーネントキャリアは、前記ユーザ設備が配置した或いはアクティブにしたコンポーネントキャリアのうちに、同じダウンリンク伝送モードと同じ非周期CSI報告モードを配置したコンポーネントキャリアを指す。
【０１０３】
前記ユーザ設備が非周期CSI報告をフィードバックする場合、各コンポーネントキャリアに配置した非周期CSI報告モードに従って対応するコンポーネントキャリアの非周期CSI報告をフィードバックする。
【０１０４】
基地局が前記ユーザ設備に一回で一つのコンポーネントキャリアの非周期CSI報告をフィードバックさせると、前記ユーザ設備は1回のトリガーで、トリガー命令に従って1つの対応するコンポーネントキャリアの非周期CSI報告をフィードバックし、異なるトリガー命令は異なるコンポーネントキャリアに対応し、
基地局が前記ユーザ設備に1回で複数のコンポーネントキャリアの非周期CSI報告をフィードバックさせるよう指示し、且つ前記ユーザ設備が配置した或いはアクティブにしたコンポーネントキャリアが複数の組に分けられると、前記ユーザ設備は1回のトリガーで、トリガー命令に従って1組の対応するコンポーネントキャリアの非周期CSI報告をフィードバックし、異なるトリガー命令は異なる組に対応する。
【０１０５】
前記トリガー命令とトリガーした1つのコンポーネントキャリア或いは複数のコンポーネントキャリアとの対応関係は予め定義した規則に従って確定される。
【０１０６】
そのうち、基地局がユーザ設備に非周期CSI報告をフィードバックさせるよう指示する方式は、半静的配置、動的な指示、及び半静的配置と動的な指示の結合の3種類を有する。以下、さらに説明する。
【０１０７】
1、半静的配置非周期CSI報告方式
基地局は上位層シグナリングを介して、ユーザ設備が1回で1つ或いは1回で複数のコンポーネントキャリアの非周期CSI報告をフィードバックするよう配置する。
【０１０８】
実施例三
2種類の非周期CSI報告方式を定義する。
【０１０９】
方式1：1回で 1つのコンポーネントキャリアの非周期CSI報告をフィードバックすること。
【０１１０】
方式2：1回で複数のコンポーネントキャリアの非周期CSI報告をフィードバックすること。
【０１１１】
基地局は上位層シグナリングを介して、あるユーザ設備の非周期CSI報告方式が方式1或いは方式2であるように配置する。方式2に配置される場合、前記ユーザ設備は1回で配置した或いはアクティブにした全部（ダウンリンク）コンポーネントキャリアの非周期CSI報告をフィードバックする。
【０１１２】
TDDシステムにおいて、基地局は前記ユーザ設備のため3個のコンポーネントキャリアを配置し或いはアクティブにし、それぞれはCC0、 CC1、CC2である。
【０１１３】
前記ユーザ設備の非周期CSI報告方式が方式1に配置されると、
前記ユーザ設備がそれに属する特定のダウンリンク制御情報フォーマットを有するPDCCHを検出し、前記PDCCHが、前記ユーザ設備がCC0（或いはCC1、或いはCC2）上にPUSCHを送信するようにスケジューリングし、且つ、そのうちCQI request = 1である場合、前記ユーザ設備はトリガーされたCC0（或いはCC1、或いはCC2）の非周期CSI報告をフィードバックし、
前記ユーザ設備の非周期CSI報告方式が方式2に配置されると、
前記ユーザ設備がそれに属する特定のダウンリンク制御情報フォーマットを有するPDCCHを検出し、前記PDCCHが、前記ユーザ設備がCC0、或いはCC1、或いはCC2にPUSCHを送信するようにスケジューリングし、且つ、そのうち、CQI request = 1である場合、前記ユーザ設備はトリガーされたCC0、CC1及びCC2の非周期CSI報告をフィードバックする。
【０１１４】
実施例四
基地局は上位層シグナリングを介して、ユーザ設備が1回で複数のコンポーネントキャリアの非周期CSI報告をフィードバックすることをイネーブルする。
【０１１５】
あるユーザ設備に対して、1回で複数のコンポーネントキャリアの非周期CSI報告をフィードバックすることをディセーブルすると、該ユーザ設備は1回で配置した或いはアクティブにした1つの（ダウンリンク）コンポーネントキャリアの非周期CSI報告をフィードバックし、該ユーザ設備に対して、1回で複数のコンポーネントキャリアの非周期CSI報告をフィードバックすることをイネーブルすると、該ユーザ設備は1回で配置した或いはアクティブにした全部（ダウンリンク）コンポーネントキャリアの非周期CSI報告をフィードバックする。
【０１１６】
実施例五
2種類の非周期CSI報告方式を定義する。
【０１１７】
方式1：1回で1つのコンポーネントキャリアの非周期CSI報告をフィードバックする。
【０１１８】
方式2：1回で1組のコンポーネントキャリアの非周期CSI報告をフィードバックする。
【０１１９】
基地局は上位層シグナリングを介して、あるユーザ設備の非周期CSI報告方式が方式1或いは方式2であるように配置する。
【０１２０】
TDDシステムにおいて、基地局は前記ユーザ設備のため3個のコンポーネントキャリアを配置し或いはアクティブにし、それぞれはCC0、 CC1、CC2である。そのうち、上位層はCC0 とCC1が1組のコンポーネントキャリアで、CC2が独立にもう1組のコンポーネントキャリアであるように配置する。
【０１２１】
前記ユーザ設備の非周期CSI報告方式が方式1に配置されると、
前記ユーザ設備がそれに属する特定ダウンリンク制御情報フォーマットを有するPDCCHを検出し、前記PDCCHが、前記ユーザ設備がCC0（或いはCC1、或いはCC2）上にPUSCHを送信するようにスケジューリングし、且つ、その中、CQI request = 1である場合、前記ユーザ設備はトリガーされたCC0（或いはCC1、或いはCC2）の非周期CSI報告をフィードバックし、
前記ユーザ設備の非周期CSI報告方式が方式2に配置されると、
前記ユーザ設備がそれに属する特定ダウンリンク制御情報フォーマットを有するPDCCHを検出し、前記PDCCHが、前記ユーザ設備がCC0、或いはCC1上にPUSCHを送信するようにスケジューリングし、且つ、そのうち、CQI request = 1である場合、前記ユーザ設備はトリガーされたCC0及びCC1の非周期CSI報告をフィードバックし、
前記ユーザ設備がそれに属する特定ダウンリンク制御情報フォーマットを有するPDCCHを検出したと、前記PDCCHは、前記ユーザ設備がCC2の上にPUSCHを送信するようにスケジューリングし、且つ、そのうち、CQI request = 1であり、前記ユーザ設備はトリガーされたCC2の非周期CSI報告をフィードバックする。
【０１２２】
2、動的な指示非周期CSI報告方式
基地局はユーザ設備に動的に一回で一つ或いは1回で複数のコンポーネントキャリアの非周期CSI報告をフィードバックさせる。
【０１２３】
基地局はトリガー命令を介して、ユーザ設備が非周期CSI報告をフィードバックするようトリガーする。
【０１２４】
前記トリガー命令はチャネル品質インジケータ請求（CQI request）であり、CQI request=1である場合、非周期CSI報告をトリガーする。
【０１２５】
前記CQI requestはランダムアクセス応答を介して対応するランダムアクセスを発起するユーザ設備に送信されることができ、特定のダウンリンク制御情報フォーマット（DCI format）を有するPDCCHを介して、スケジューリングしたユーザ設備に送信されることもできる。
【０１２６】
前記特定のダウンリンク制御情報フォーマットを有するPDCCHはPUSCHをスケジューリングすることに用いられる。
【０１２７】
好ましくは、トリガーされた非周期CSI報告はトリガー命令を載せるPDCCHがスケジューリングしたPUSCH中に伝送される。
【０１２８】
好ましくは、前記のユーザ設備が複数のコンポーネントキャリアの非周期CSI報告をフィードバックするようトリガーするPDCCHがスケジューリングしたPUSCHはUL-SCHを載せる伝送ブロックを伝送しない。
【０１２９】
ランダムアクセス応答中に含まれるトリガー命令は、ユーザ設備が1つのコンポーネントキャリアの非周期CSI報告をフィードバックするようトリガーするための命令であることをデフォルトされ、又はユーザ設備が複数のコンポーネントキャリアの非周期CSI報告をフィードバックするようトリガーするための命令であることをデフォルトされる。
【０１３０】
即ち、ユーザ設備がそれに属するランダムアクセス応答を検出し、且つ、そのうち、CQI request=1である場合、前記ユーザ設備はトリガーされた1つのコンポーネントキャリアの非周期CSI報告をフィードバックする。
【０１３１】
好ましくは、前記1つのコンポーネントキャリアは前記ランダムアクセス応答を送信するコンポーネントキャリアである。
【０１３２】
又は、ユーザ設備がそれに属するランダムアクセス応答を検出し、且つ、そのうち、CQI request=1である場合、前記ユーザ設備はトリガーされた複数のコンポーネントキャリアの非周期CSI報告をフィードバックする。
【０１３３】
方法1：
1つのトリガー命令はユーザ設備が1つのコンポーネントキャリアの非周期CSI報告をフィードバックするようトリガーするためのものである。
【０１３４】
ユーザ設備に対して、1つのサブフレーム上に複数のトリガー命令が非周期CSI報告をトリガーすることができる。
【０１３５】
1つのサブフレーム上に、基地局は1つのトリガー命令を使用してユーザ設備が1つの対応するコンポーネントキャリアの非周期CSI報告をフィードバックするようトリガーし、又は、複数のトリガー命令を使用して同時にユーザ設備が複数のコンポーネントキャリアに対応する非周期CSI報告をフィードバックするようトリガーする。
【０１３６】
実施例六
FDDシステムにおいて、基地局は、前記ユーザ設備のため4対のコンポーネントキャリアを配置し或いはアクティブにし、それぞれはDL CC0とUL CC0、 DL CC1とUL CC1、DL CC2とUL CC2、及びDL CC3とUL CC3である。
【０１３７】
1つのサブフレーム上に、前記ユーザ設備が1個のそれに属する特定のダウンリンク制御情報フォーマットを有するPDCCHを検出し、前記PDCCHは前記ユーザ設備がUL CC0上にPUSCHを送信するようにスケジューリングし、且つ、そのうち、CQI request = 1である場合、前記ユーザ設備はトリガーされたDL CC0の非周期CSI報告をフィードバックし、
1つのサブフレーム上に、前記ユーザ設備が2個のそれに属する特定のダウンリンク制御情報フォーマットを有するPDCCHを検出し、前記2個のPDCCHはそれぞれ前記ユーザ設備がUL CC1とUL CC2上にPUSCHを送信するようにスケジューリングし、且つUL CC1上にPUSCHを送信するPDCCHにおいて、CQI request = 1であるようにスケジューリングし、UL CC2上にPUSCHを送信するPDCCHにおいて、CQI request = 0であるスケジューリングする場合、前記ユーザ設備はトリガーされたDL CC1の非周期CSI報告をフィードバックし、
1つのサブフレーム上に、前記ユーザ設備が2個のそれに属する特定のダウンリンク制御情報フォーマットを有するPDCCHを検出し、前記2個のPDCCHはそれぞれ前記ユーザ設備がUL CC0とUL CC3上にPUSCHを送信するようにスケジューリングし、且つ2個のPDCCH中において、いずれもCQI request = 1である場合、前記ユーザ設備はトリガーされたDL CC0とDL CC3の非周期CSI報告をフィードバックする。
【０１３８】
方法2：
特定のダウンリンク制御情報フォーマットを有するPDCCHにおいて、CQI request非周期CSI報告（例えばCQI request = 1）をトリガーすることを指示する場合、新規データ識別子（New Data Indicator，NDI）は第1プリインストール値（例えば、NDI=1或いは0）であり、即ちIMCS = 29であり、且つスケジューリングしたPUSCHの帯域幅がNPRB ≦ 4である場合、ユーザ設備が複数のコンポーネントキャリアの非周期CSI報告をフィードバックするようトリガーし、CQI request非周期CSI報告（例えば、CQI request = 1）をトリガーすることを指示する場合、NDIは第2プリインストール値（例えば、NDI=0或いは1）であり、即ちIMCS = 29であり、且つスケジューリングしたPUSCHの帯域幅がNPRB ≦ 4である場合、ユーザ設備が1つのコンポーネントキャリアの非周期CSI報告をフィードバックするようトリガーする。
【０１３９】
特定のダウンリンク制御情報フォーマットを有するPDCCHにおいて、CQI request非周期CSI報告（例えば、CQI request = 1）をトリガーすることを指示する場合、IMCS = 29であり、且つスケジューリングしたPUSCHの帯域幅がNPRB ≦ 4である場合、前記PDCCHスケジューリングのPUSCHはUL-SCHを載せる伝送ブロックを伝送しない。
【０１４０】
好ましくは、特定のダウンリンク制御情報フォーマットを有するPDCCHにおいて、CQI request非周期CSI報告（例えばCQI request = 1）をトリガーすることを指示する場合、且つIMCS≠29或いはスケジューリングしたPUSCHの帯域幅がNPRB >4である場合、ユーザ設備が1つのコンポーネントキャリアの非周期CSI報告をフィードバックするようトリガーする。
【０１４１】
好ましくは、ユーザ設備に対して、1つのサブフレーム上に、多くても1つのトリガー命令が非周期CSI報告をトリガーする。
【０１４２】
即ち、ユーザ設備がそれに属する特定のダウンリンク制御情報フォーマットを有するPDCCHを検出し、且つ、そのうち、CQI request = 1で、NDI=1で、IMCS = 29で、スケジューリングしたPUSCHの帯域幅がNPRB ≦ 4である場合、前記ユーザ設備はトリガーされた複数のコンポーネントキャリアに対応する非周期CSI報告をフィードバックする。
【０１４３】
好ましくは、前記複数のコンポーネントキャリアに対応する非周期CSI報告は前記PDCCHがスケジューリングしたPUSCH中に伝送される。
【０１４４】
ユーザ設備がそれに属する特定のダウンリンク制御情報フォーマットを有するPDCCHを検出し、且つ、そのうち、CQI request = 1で、NDI=0で、IMCS = 29で、スケジューリングしたPUSCHの帯域幅がNPRB ≦ 4である場合、前記ユーザ設備はトリガーされた1つの対応するコンポーネントキャリアの非周期CSI報告をフィードバックし、
好ましくは、前記1つのコンポーネントキャリアに対応する非周期CSI報告は前記PDCCHがスケジューリングしたPUSCH中に伝送される。
【０１４５】
方法三：
特定のダウンリンク制御情報フォーマットを有するPDCCHにおいて、CQI request非周期CSI報告（例えば、CQI request = 1）をトリガーすることを指示する場合、且つNDI及び/又はIMCS が予め配置された状態である場合、ユーザ設備が複数のコンポーネントキャリアの非周期CSI報告をフィードバックするようにをトリガーし、CQI request非周期CSI報告（例えば、CQI request = 1）をトリガーすることを指示する場合、且つNDI及び/又はIMCS が予め配置された状態ではない場合、ユーザ設備が1つのコンポーネントキャリアの非周期CSI報告をフィードバックするようトリガーする。
【０１４６】
好ましくは、ユーザ設備に対して、1つのサブフレーム上に、多くても1つのトリガー命令が非周期CSI報告をトリガーする。
【０１４７】
実施例七
特定のダウンリンク制御情報フォーマットを有するPDCCHにおいて、CQI request = 1で、且つNDI=1且つIMCS = 29〜31のいずれか1つの整数値或いは予め配置された整数値である場合、ユーザ設備が複数のコンポーネントキャリアの非周期CSI報告をフィードバックするようトリガーし、CQI request = 1で、且つNDI=0或いはIMCS≠29〜31のいずれか1つの整数値或いは予め配置された整数値である場合、ユーザ設備が1つのコンポーネントキャリアの非周期CSI報告をフィードバックするようトリガーする。
【０１４８】
従って、ユーザ設備がそれに属する特定のダウンリンク制御情報フォーマットを有するPDCCHを検出し、且つ、そのうち、CQI request = 1で、NDI=1で、IMCS = 29〜31中のいずれか1つの整数値或いは予め配置された整数値である場合、前記ユーザ設備はトリガーされた複数のコンポーネントキャリアに対応する非周期CSI報告をフィードバックする。
【０１４９】
ユーザ設備がそれに属する特定のダウンリンク制御情報フォーマットを有するPDCCHを検出し、且つ、そのうち、CQI request = 1で、NDI=0或いはIMCS≠29〜31中のいずれか1つの整数値或いは予め配置された整数値であると、前記ユーザ設備はトリガーされた1つのコンポーネントキャリアに対応する非周期CSI報告をフィードバックする。
【０１５０】
実施例八
特定のダウンリンク制御情報フォーマットを有するPDCCHにおいて、CQI request = 1で、且つNDI=0且つIMCS =0〜28中のいずれか1つの整数値或いは予め配置された整数値である場合、ユーザ設備が複数のコンポーネントキャリアの非周期CSI報告をフィードバックするようトリガーし、CQI request = 1で、且つNDI=1或いはIMCS≠0〜28中のいずれか1つの整数値或いは予め配置された整数値である場合、ユーザ設備が1つのコンポーネントキャリアの非周期CSI報告をフィードバックするようトリガーする。
【０１５１】
従って、ユーザ設備がそれに属する特定のダウンリンク制御情報フォーマットを有するPDCCHを検出し、且つ、そのうち、CQI request = 1で、NDI=0且つIMCS =0〜28中のいずれか1つの整数値或いは予め配置された整数値である場合、前記ユーザ設備はトリガーされた複数のコンポーネントキャリアに対応する非周期CSI報告をフィードバックする。
【０１５２】
ユーザ設備がそれに属する特定のダウンリンク制御情報フォーマットを有するPDCCHを検出し、且つ、そのうち、CQI request = 1で、NDI=1或いはIMCS≠0〜28中のいずれか1つの整数値或いは予め配置された整数値である場合、前記ユーザ設備はトリガーされた1つのコンポーネントキャリアに対応する非周期CSI報告をフィードバックする。
【０１５３】
方法四：
特定のダウンリンク制御情報フォーマットを有するPDCCHにおいて、CQI request非周期CSI報告をトリガーすることを指示する場合、例えば、CQI request = 1である場合、前記PDCCH中に非周期CSI報告方式識別フィールドを携帯し、前記ユーザ設備が1つか複数のコンポーネントキャリアの非周期CSI報告をフィードバックするようトリガーすることを指示し、そのうち、前記非周期CSI報告方式識別フィールドは1bitであってもよい。
【０１５４】
好ましくは、CQI requestが非周期CSI報告（例えば、CQI request = 0）をトリガーしないことを指示する場合、前記非周期CSI報告方式識別フィールドはスケジューリングしたPUSCHのアップリンクスケジューリング情報を指示することに用いられ、例えば、
前記非周期CSI報告方式識別フィールドは周波数ホッピングフラッグであり、
又は、前記非周期CSI報告方式識別フィールドは5 bits変調符号化方式インデックスにおける1ビット、例えば、最上位であり、
又は、前記非周期CSI報告方式識別フィールドは2 bits送信電力制御命令における1ビットであり、
又は、前記非周期CSI報告方式識別フィールドは3 bits復調基準信号の循環シフトにおける1ビットである。
【０１５５】
好ましくは、ユーザ設備に対して、1つのサブフレーム上に、多くても1つのトリガー命令が非周期CSI報告をトリガーする。
【０１５６】
実施例九
特定のダウンリンク制御情報フォーマットを有するPDCCHにおいて、CQI request = 1である場合、前記PDCCH中に1bitでトリガーユーザ設備に指示を出して複数或いは1つのコンポーネントキャリアの非周期CSI報告をフィードバックさせ、前記1ビットが 「1」に置かれる場合、ユーザ設備が複数のコンポーネントキャリアの非周期CSI報告をフィードバックするようトリガーし、前記1ビットが「0」に置かれる場合、ユーザ設備が1つのコンポーネントキャリアの非周期CSI報告をフィードバックするようトリガーする。
【０１５７】
特定のダウンリンク制御情報フォーマットを有するPDCCHにおいて、CQI request = 0である場合、前記PDCCH中において前記1bitが周波数ホッピングフラッグであり、前記PDCCHがスケジューリングしたPUSCHが周波数ホッピングをイネーブルするかどうかを指示する。
【０１５８】
従って、ユーザ設備がそれに属する特定のダウンリンク制御情報フォーマットを有するPDCCHを検出し、且つ、そのうち、CQI request = 1である場合、前記1ビットが「1」に置かれると、前記ユーザ設備はトリガーされた複数のコンポーネントキャリアに対応する非周期CSI報告をフィードバックし、前記1ビットが「0」に置かれると、前記ユーザ設備はトリガーされた1つのコンポーネントキャリアに対応する非周期CSI報告をフィードバックする。且つスケジューリングしたPUSCHは周波数ホッピングがイネーブルされる（或ディセーブルされる）ことをデフォルトする。
【０１５９】
ユーザ設備がそれに属する特定のダウンリンク制御情報フォーマットを有するPDCCHを検出し、且つ、そのうち、CQI request = 0である場合、前記1ビットが「1」に置かれると、スケジューリングしたPUSCHは周波数ホッピングがイネーブルされ、前記1ビットが「0」に置かれると、スケジューリングしたPUSCHは周波数ホッピングがディセーブルされる。
【０１６０】
実施例十
特定のダウンリンク制御情報フォーマットを有するPDCCHにおいて、CQI request = 1である場合、前記PDCCH中に1bitでユーザ設備が複数か1つのコンポーネントキャリアの非周期CSI報告をフィードバックするようトリガーすることを指示し、前記1ビットが「1」に置かれる場合、ユーザ設備が複数のコンポーネントキャリアの非周期CSI報告をフィードバックするようトリガーし、前記1ビット「0」に置かれる場合、ユーザ設備が1つのコンポーネントキャリアの非周期CSI報告をフィードバックするようトリガーする。
【０１６１】
特定のダウンリンク制御情報フォーマットを有するPDCCHにおいて、CQI request = 0である場合、前記PDCCH中に前記1bitが5 bits変調符号化方式インデックスの最上位（或いは最下位）であり、前記PDCCHがケジューリングしたPUSCHの変調符号化方式と重複分バージョンを指示する。
【０１６２】
従って、ユーザ設備がそれに属する特定のダウンリンク制御情報フォーマットを有するPDCCHを検出し、且つ、そのうち、CQI request = 1である場合、前記1ビット「1」に置かれると、前記ユーザ設備はトリガーされた複数のコンポーネントキャリアに対応する非周期CSI報告をフィードバックし、前記1ビットが「0」に置かれると、前記ユーザ設備はトリガーされた1つのコンポーネントキャリアに対応する非周期CSI報告をフィードバックする。且つ、スケジューリングしたPUSCHの変調符号化方式インデックスの数値範囲は0〜15（或いは0〜31中の16個の予め配置された整数値）である。
【０１６３】
ユーザ設備がそれに属する特定のダウンリンク制御情報フォーマットを有するPDCCHを検出し、且つ、そのうち、CQI request = 0である場合、前記1ビットが5 bits変調符号化方式インデックス的最上位であると、スケジューリングしたPUSCHの変調符号化方式インデックスの数値範囲は0〜31である。
【０１６４】
実施例十一
特定のダウンリンク制御情報フォーマットを有するPDCCHにおいて、CQI request = 1である場合、前記PDCCH中に1bitでユーザ設備が複数か1つのコンポーネントキャリアの非周期CSI報告をフィードバックするようトリガーすることを指示し、前記1ビット「1」に置かれる場合、ユーザ設備が複数のコンポーネントキャリアの非周期CSI報告をフィードバックするようトリガーし、前記1ビット「0」に置かれる場合、ユーザ設備が1つのコンポーネントキャリアの非周期CSI報告をフィードバックするようトリガーする。
【０１６５】
特定のダウンリンク制御情報フォーマットを有するPDCCHにおいて、CQI request = 0である場合、前記PDCCHにおいて、前記1bitは3 bits復調基準信号の循環シフトの最上位（或いは最下位）であり、前記PDCCHがスケジューリングしたPUSCHの復調基準信号の循環シフト及びOCCを指示する。
【０１６６】
従って、ユーザ設備がそれに属する特定のダウンリンク制御情報フォーマットを有するPDCCHを検出し、且つ、そのうち、CQI request = 1である場合、前記1ビットが「1」に置かれると、前記ユーザ設備はトリガーされた複数のコンポーネントキャリアに対応する非周期CSI報告をフィードバックし、前記1ビットが「0」に置かれると、前記ユーザ設備はトリガーされた1つのコンポーネントキャリアに対応する非周期CSI報告をフィードバックする。且つスケジューリングしたPUSCHの復調基準信号の循環シフトの数値範囲は{0，2，3，4，6，8，9，10}中の4個の予め配置された値である。
【０１６７】
ユーザ設備がそれに属する特定のダウンリンク制御情報フォーマットを有するPDCCHを検出し、且つ、そのうち、CQI request = 0である場合、前記1ビットが5 bits変調符号化方式インデックスの最上位であると、スケジューリングしたPUSCHの変調符号化方式インデックスの数値範囲は{0，2，3，4，6，8，9，10}である。
【０１６８】
方法五：
特定のダウンリンク制御情報フォーマットを有するPDCCHにおいて、CQI request非周期CSI報告（例えば、CQI request = 1）をトリガーすることを指示する場合、且つ前記PDCCHスケジューリングユーザ設備が予め配置されたコンポーネントキャリア上にPUSCHを送信する場合、ユーザ設備が複数のコンポーネントキャリアの非周期CSI報告をフィードバックするようトリガーし、でないと、ユーザ設備が1つのコンポーネントキャリアの非周期CSI報告をフィードバックするようトリガーする。
【０１６９】
好ましくは、前記特定コンポーネントキャリアは1つの或いは複数である。
【０１７０】
好ましくは、前記特定コンポーネントキャリアはプライマリコンポーネントキャリアPCCのみである。
【０１７１】
例えば、ユーザ設備がそれに属する特定のダウンリンク制御情報フォーマットを有するPDCCHを検出し、前記PDCCHが前記ユーザ設備がそのプライマリコンポーネントキャリアPCCの上にPUSCHを送信するようにスケジューリングし、且つ、そのうち、CQI request = 1である場合、前記ユーザ設備はトリガーされた複数のコンポーネントキャリアに対応する非周期CSI報告をフィードバックし、
ユーザ設備がそれに属する特定のダウンリンク制御情報フォーマットを有するPDCCHを検出し、前記PDCCHが前記ユーザ設備がそのセカンダリコンポーネントキャリアSCCの上にPUSCHを送信するようにスケジューリングし、且つ、そのうち、CQI request = 1である場合、前記ユーザ設備はトリガーされた1つのコンポーネントキャリアに対応する非周期CSI報告をフィードバックする。
【０１７２】
実施例十二
FDDシステムにおいて、特定のダウンリンク制御情報フォーマットを有するPDCCHにおいて、CQI request = 1で、且つPDCCHスケジューリングユーザ設備がアップリンクプライマリコンポーネントキャリアPCCの上にPUSCHを送信する場合、ユーザ設備が1組のダウンリンクコンポーネントキャリアの非周期CSI報告をフィードバックするようトリガーする。そのうち、本実施例の1組のダウンリンクコンポーネントキャリアは、ユーザ設備のダウンリンクプライマリコンポーネントキャリアと、カレントのユーザ設備が配置した或いはアクティブにしたダウンリンクセカンダリコンポーネントキャリア中において対応するアップリンクコンポーネントキャリアが前記ユーザ設備を配置し或いはアクティブにしていないダウンリンクセカンダリコンポーネントキャリア（このようなダウンリンクセカンダリコンポーネントキャリアが存在すると）を含む。
【０１７３】
そうでなければ、CQI request = 1で、且つPDCCHスケジューリングユーザ設備がそのアップリンクセカンダリコンポーネントキャリアSCC上にPUSCHを送信する場合、ユーザ設備が該アップリンクセカンダリコンポーネントキャリアに対応するダウンリンクコンポーネントキャリアの非周期CSI報告をフィードバックするようトリガーする。
【０１７４】
例えば、FDDシステムにおいて、基地局がユーザ設備のため1対のプライマリコンポーネントキャリアDL CC0とUL CC0、1対のセカンダリコンポーネントキャリアDL CC1とUL CC1、及び2個のダウンリンクセカンダリコンポーネントキャリアDL CC2とDL CC3（その対応するアップリンクセカンダリコンポーネントキャリアUL CC2とUL CC3が配置していない或いはアクティブにしていない）を配置した或いはアクティブにした。そのうち、予め配置されたDL CC0、DL CC2及びDL CC3は1組のコンポーネントキャリアである。
【０１７５】
1つのサブフレーム上に、ユーザ設備が1個のそれに属する特定ダウンリンク制御情報フォーマットを有するPDCCHを検出し、該PDCCHスケジューリングユーザ設備はUL CC0上にPUSCHを送信し、且つ、そのうち、CQI request = 1である場合、ユーザ設備はトリガーされたDL CC0、DL CC2及びDL CC3の非周期CSI報告をフィードバックする。
【０１７６】
1つのサブフレーム上に、ユーザ設備が1個のそれに属する特定のダウンリンク制御情報フォーマットを有するPDCCHを検出し、該PDCCHスケジューリングユーザ設備がUL CC1上にPUSCHを送信し、且つ、そのうち、CQI request = 1である場合、ユーザ設備はトリガーされたDL CC1の非周期CSI報告をフィードバックする。
【０１７７】
実施例十三
FDDシステムにおいて、基地局は前記ユーザ設備のため1対のプライマリコンポーネントキャリアDL CC0とUL CC0、1対のセカンダリコンポーネントキャリアDL CC1とUL CC1、及び2個のダウンリンクセカンダリコンポーネントキャリアDL CC2とDL CC3（その対応するアップリンクセカンダリコンポーネントキャリアUL CC2とUL CC3が配置していない或いはアクティブにしていない）を配置した或いはアクティブにした。そのうち、DL CC0とDL CC2は1組で、DL CC1とDL CC3は1組である。
【０１７８】
1つのサブフレーム上に、前記ユーザ設備が1個のそれに属する特定のダウンリンク制御情報フォーマットを有するPDCCHを検出し、前記PDCCHが前記ユーザ設備がUL CC0上にPUSCHを送信するようにスケジューリングし、且つ、そのうち、CQI request = 1である場合、前記ユーザ設備はトリガーされたDL CC0とDL CC2の非周期CSI報告をフィードバックし、
1つのサブフレーム上に、前記ユーザ設備が1個のそれに属する特定のダウンリンク制御情報フォーマットを有するPDCCHを検出し、前記PDCCHが前記ユーザ設備がUL CC1上にPUSCHを送信するようにスケジューリングし、且つ、そのうち、CQI request = 1である場合、前記ユーザ設備はトリガーされたDL CC1とDL CC3の非周期CSI報告をフィードバックする。
【０１７９】
方法六：
クロス搬送波スケジューリングする時、特定のダウンリンク制御情報フォーマットを有するPDCCHにおいて、CQI request非周期CSI報告（例えば、CQI request = 1）をトリガーすることを指示する場合、且つCIFが予め配置された値である場合、ユーザ設備が複数のコンポーネントキャリアの非周期CSI報告をフィードバックするようトリガーし、でないと、ユーザ設備が1つのコンポーネントキャリアの非周期CSI報告をフィードバックするようトリガーする。
【０１８０】
実施例十四
クロス搬送波スケジューリングする時、ユーザ設備がそれに属する特定のダウンリンク制御情報フォーマットを有するPDCCHを検出し、且つ、そのうち、CQI request = 1で、CIF =5〜7中のいずれか1つの整数値或いは予め配置された整数値である場合、前記ユーザ設備はトリガーされた複数のコンポーネントキャリアに対応する非周期CSI報告をフィードバックし、
ユーザ設備がそれに属する特定のダウンリンク制御情報フォーマットを有するPDCCHを検出し、且つ、そのうち、CQI request = 1、CIF =0〜4中のいずれか1つの整数値である場合、前記ユーザ設備はトリガーされた1つのコンポーネントキャリアに対応する非周期CSI報告をフィードバックする。
【０１８１】
実施例十五
基地局はあるユーザ設備のため4個のコンポーネントキャリアを配置し或いはアクティブにし、クロス搬送波スケジューリングする時、前記ユーザ設備がそれに属する特定のダウンリンク制御情報フォーマットを有するPDCCHを検出し、且つ、そのうち、CQI request = 1、CIF =4〜7中のいずれか1つの整数値或1つの予め配置された整数値である場合、前記ユーザ設備はトリガーされた複数のコンポーネントキャリアに対応する非周期CSI報告をフィードバックし、
ユーザ設備がそれに属する特定のダウンリンク制御情報フォーマットを有するPDCCHを検出し、且つ、そのうち、CQI request = 1、CIF =0〜3中のいずれか1つの整数値である場合、前記ユーザ設備はトリガーされた1つのコンポーネントキャリアに対応する非周期CSI報告をフィードバックする。
【０１８２】
実施例十六
FDDシステムにおいて、基地局は前記ユーザ設備のため1対のプライマリコンポーネントキャリアDL CC0とUL CC0、 1対のセカンダリコンポーネントキャリアDL CC1とUL CC1、及び2個のダウンリンクセカンダリコンポーネントキャリアDL CC2とDL CC3（その対応するアップリンクセカンダリコンポーネントキャリアUL CC2とUL CC3が配置していない或いはアクティブにしていない）を配置した或いはアクティブにした。そのうち、DL CC0、DL CC2及びDL CC3は1組である。
【０１８３】
クロス搬送波スケジューリングする時、前記ユーザ設備がそれに属する特定のダウンリンク制御情報フォーマットを有するPDCCHを検出し、且つ、そのうち、CQI request = 1、CIF =2〜7中のいずれか1つの整数値である場合、前記ユーザ設備はトリガーされたDL CC0、DL CC2及びDL CC3の非周期CSI報告をフィードバックし、
ユーザ設備がそれに属する特定のダウンリンク制御情報フォーマットを有するPDCCHを検出し、且つ、そのうち、CQI request = 1、CIF =0（或いは1）である場合、前記ユーザ設備はトリガーされたDL CC0（或いはDL CC1）の非周期CSI報告をフィードバックする。
【０１８４】
実施例十七
FDDシステムにおいて、基地局は前記ユーザ設備のため1対のプライマリコンポーネントキャリアDL CC0とUL CC0、 1対のセカンダリコンポーネントキャリアDL CC1とUL CC1、及び2個のダウンリンクセカンダリコンポーネントキャリアDL CC2とDL CC3（その対応するアップリンクセカンダリコンポーネントキャリアUL CC2和UL CC3が配置していない或いはアクティブにしていない）を配置した或いはアクティブにした。そのうち、DL CC0とDL CC2は1組であり、DL CC1とDL CC3は1組である。
【０１８５】
クロス搬送波スケジューリングする時、前記ユーザ設備がそれに属する特定のダウンリンク制御情報フォーマットを有するPDCCHを検出し、且つ、そのうち、CQI request = 1、CIF = 2である場合、前記ユーザ設備はトリガーされたDL CC0とDL CC2の非周期CSI報告をフィードバックし、
クロス搬送波スケジューリングする時、前記ユーザ設備がそれに属する特定のダウンリンク制御情報フォーマットを有するPDCCHを検出し、且つ、そのうち、CQI request = 1、CIF = 3である場合、前記ユーザ設備はトリガーされたDL CC1とDL CC3の非周期CSI報告をフィードバックし、
ユーザ設備がそれに属する特定のダウンリンク制御情報フォーマットを有するPDCCHを検出し、且つ、そのうち、CQI request = 1、CIF =0（或いは1）である場合、前記ユーザ設備がトリガーされたDL CC0（或いはDL CC1）の非周期CSI報告をフィードバックする。
【０１８６】
3、半静的配置+動的な指示非周期CSI報告方式
基地局は上位層シグナリング配置と動的な指示を結合する方式でユーザ設備が1つ或いは複数のコンポーネントキャリアの非周期CSI報告を1回でフィードバックするようトリガーする。
【０１８７】
好ましくは、基地局は上位層シグナリングを介して、1回で複数のコンポーネントキャリアの非周期CSI報告をフィードバックことをイネーブルする。
【０１８８】
1回で複数のコンポーネントキャリアの非周期CSI報告をフィードバックすることをディセーブルする場合、1つのトリガー命令がユーザ設備が1つのコンポーネントキャリアの非周期CSI報告をフィードバックするようトリガーし、
1回で複数のコンポーネントキャリアの非周期CSI報告をフィードバックすることをイネーブルする場合、動的な指示非周期CSI報告方式中の前記的方法を採用し、ユーザ設備が1回で1つ或いは1回で複数のコンポーネントキャリアの非周期CSI報告をフィードバックするようトリガーする。
【０１８９】
又は、好ましくは、基地局は上位層シグナリングを介してユーザ設備が1回で1つ或いは1回で複数のコンポーネントキャリアの非周期CSI報告をフィードバックするよう配置する。
【０１９０】
ユーザ設備の非周期CSI報告方式が1回で1つのコンポーネントキャリアの非周期CSI報告をフィードバックするように配置された場合、1つのトリガー命令がユーザ設備が1つのコンポーネントキャリアの非周期CSI報告をフィードバックするようトリガーし、
ユーザ設備の非周期CSI報告方式が1回で複数のコンポーネントキャリアの非周期CSI報告をフィードバックするように配置された場合、動的な指示を採用してユーザ設備が1回で1つ或いは1回で複数のコンポーネントキャリアの非周期CSI報告をフィードバックするようトリガーする。具体的な動的な指示方法は前記動的な指示説明に言及した各方法を参照し、もちろん本発明は前記各方法に限られない。
【０１９１】
実施例十八
2種類の非周期CSI報告方式を定義する。
【０１９２】
方式1：1回で1つのコンポーネントキャリアの非周期CSI報告をフィードバックすること。
【０１９３】
方式2：1回で複数のコンポーネントキャリアの非周期CSI報告をフィードバックすること。
【０１９４】
基地局は上位層シグナリングを介して、あるユーザ設備の非周期CSI報告方式が方式1或いは方式2であるように配置する。
【０１９５】
FDDシステムにおいて、基地局は前記ユーザ設備のため1対のプライマリコンポーネントキャリアDL CC0とUL CC0、 1対のセカンダリコンポーネントキャリアDL CC1とUL CC1、及び2個のダウンリンクセカンダリコンポーネントキャリアDL CC2とDL CC3（その対応するアップリンクセカンダリコンポーネントキャリアUL CC2とUL CC3が配置していない或いはアクティブにしていない）を配置した或いはアクティブにした。そのうち、DL CC0、DL CC2及びDL CC3は1組である。
【０１９６】
前記ユーザ設備の非周期CSI報告方式が方式1に配置されると、
1つのサブフレーム上に、前記ユーザ設備が1個のそれに属する特定ダウンリンク制御情報フォーマットを有するPDCCHを検出し、前記PDCCHが前記ユーザ設備がUL CC0（或いはUL CC1）上にPUSCHを送信するようにスケジューリングし、且つ、そのうち、CQI request = 1である場合、前記ユーザ設備はトリガーされたDL CC0（或いはDL CC1）の非周期CSI報告をフィードバックし、
前記ユーザ設備の非周期CSI報告方式が方式2に配置されると、
1つのサブフレーム上に、前記ユーザ設備がが1個のそれに属する特定のダウンリンク制御情報フォーマットを有するPDCCHを検出し、前記PDCCHが前記ユーザ設備がUL CC0上にPUSCHを送信するようにスケジューリングし、且つ、そのうち、CQI request = 1である場合、前記ユーザ設備はトリガーされたDL CC0、DL CC2及びDL CC3の非周期CSI報告をフィードバックし、
1つのサブフレーム上に、前記ユーザ設備が1個のそれに属する特定のダウンリンク制御情報フォーマットを有するPDCCHを検出し、前記PDCCHが前記ユーザ設備がUL CC1上にPUSCHを送信するようにスケジューリングし、且つ、そのうち、CQI request = 1である場合、前記ユーザ設備はトリガーされたDL CC1の非周期CSI報告をフィードバックする。
【０１９７】
実施例十九
基地局は上位層シグナリングを介して、あるユーザ設備が複数のコンポーネントキャリアの非周期CSI報告を1回でフィードバックすることをイネーブルする。
【０１９８】
FDDシステムにおいて、基地局は前記ユーザ設備のため、1対のプライマリコンポーネントキャリアDL CC0とUL CC0、 1対のセカンダリコンポーネントキャリアDL CC1とUL CC1、及び2個のダウンリンクセカンダリコンポーネントキャリアDL CC2とDL CC3（その対応するアップリンクセカンダリコンポーネントキャリアUL CC2とUL CC3が配置していない或いはアクティブにしていない）を配置した或いはアクティブにした。そのうち、DL CC0とDL CC2は1組であり、DL CC1とDL CC3は1組である。
【０１９９】
前記ユーザ設備に対して、複数のコンポーネントキャリアの非周期CSI報告を1回でフィードバックすることをディセーブルすると、
1つのサブフレーム上に、前記ユーザ設備が1個のそれに属する特定のダウンリンク制御情報フォーマットを有するPDCCHを検出し，前記PDCCHが前記ユーザ設備がUL CC0（或いはUL CC1）上にPUSCHを送信するようにスケジューリングし、且つ、そのうち、CQI request = 1である場合、前記ユーザ設備はトリガーされたDL CC0（或いはDL CC1）の非周期CSI報告をフィードバックし、
前記ユーザ設備に対して、複数のコンポーネントキャリアの非周期CSI報告を1回でフィードバックすることをイネーブルすると、
1つのサブフレーム上に、前記ユーザ設備が1個のそれに属する特定のダウンリンク制御情報フォーマットを有するPDCCHを検出し、前記PDCCHが前記ユーザ設備がUL CC0上にPUSCHを送信するようにスケジューリングし、且つ、そのうち、CQI request = 1である場合、前記ユーザ設備はトリガーされたDL CC0とDL CC2の非周期CSI報告をフィードバックし、
1つのサブフレーム上に、前記ユーザ設備が1個のそれに属する特定のダウンリンク制御情報フォーマットを有するPDCCHを検出し、前記PDCCHは前記ユーザ設備がUL CC1上にPUSCHを送信するようにスケジューリングし、且つ、そのうち、CQI request = 1である場合、前記ユーザ設備はトリガーされたDL CC1とDL CC3の非周期CSI報告をフィードバックする。
【０２００】
上記方法の中に、前記の複数のコンポーネントキャリアを1回でフィードバックすることの代わりに、1組のコンポーネントキャリアを1回でフィードバックすることを採用してもよい。
【０２０１】
当業者は前記方法の全部或は一部のステップがプログラムを用いて関連ハードウェアに対して命令を出し、完成させることができ、前記プログラムはコンピューターの可読記憶媒体、例えば読み出し専用メモリ、磁気ディスク或は光ディスク等に記憶できると理解可能である。前記実施例の全部或は一部のステップは1つ或いは複数の集積回路を使用することで実現するという選択肢もある。それに対応し、前記実施例における各モジュール/ユニットはハードウェア形式で実現でき、またソフトウェアの機能モジュール形式でも実現できる。本発明は如何なる特定した形式のハードウェアとソフトウェアの結合にも限定されない。
【０２０２】
以上は本発明の適当な実施例に過ぎず、本発明を制限するものではなく、当業者にとって、本発明は各種の変更や変化を有するものであるということができる。本発明の主旨と原則の内で行なった如何なる修正、同等な引換、改善等でもすべて本発明の請求範囲に含まれるべきである。
【産業上の利用可能性】
【０２０３】
本発明は効果的にLTE-Aシステム中のユーザ設備がいかに複数の（ダウンリンク）コンポーネントキャリアに対してチャネル状態情報報告を行うという問題を解決し、チャネル状態情報伝送の確実性を保証するとともに、できるだけチャネル状態情報のフィードバック遅延を減少させる。
【図１】
0005592559.tif 000010
【図２】
0005592559.tif 000011